(57)【要約】      （修正有）【課題】頂点間距離の調節機能を有する眼鏡において、視力矯正用レンズに固有の頂点間距離を適正化することができる眼鏡を提供する。【解決手段】眼鏡において、眼鏡本体が鼻当て１００−１、（１００−２）とを有し、鼻当て１００−１は、パッド足１１０と、パッド足の先端に固定されたパッド箱１２０と、パッドネジ１５０とを有し、鼻に当接するパッド１４０が基端に設けられ、第１規制面１３６ａと第１規制面の両端から連接して設けられた第２規制面１３６ｂと第３規制面１３６ｃにより切欠部１３０Ｋが形成されたパッド支軸１３０とを有している。パッド支軸１３０は、パッド箱１２０内をスライド可能に形成されている。さらに、眼鏡本体に後方視認装置を設けることにより、後方を視認する機能を付加することができる。【選択図】図４
2015200757.tif 000002
【特許請求の範囲】
【請求項１】
頂点間距離を調節可能に形成された眼鏡であって、左右一対のレンズ（１６−１、１６−２）と、該レンズを支持するフレーム（１２）と、フレーム１２の両側の端部に蝶番部（１５）を介して回動自在に形成されたテンプル（１４−１、１４−２）と、を有する眼鏡本体（１０）と、フレームに設けられた左右一対の鼻当て（１００−１、１００−２）とが設けられ、
各鼻当てが、
フレームに固定されたパッド足（１１０）と、
パッド足のフレームとは反対側の端部に固定された四角枠状のパッド箱で、パッド足に固定された第１部材（１２０ａ）と、第１部材の相対する辺部から第１部材に対して直角に設けられ互いに平行に設けられた第２部材（１２０ｂ）及び第３部材（１２０ｃ）と、第２部材と第３部材に対して直角に設けられ、第１部材と平行に設けられた第４部材（１２０ｄ）とにより四角枠状を呈し、第２部材にパッドネジ挿通用のパッドネジ挿通穴（１２２）が設けられ、第３部材にパッドネジと螺合するネジ穴（１２４）が設けられたパッド箱（１２０）と、
パッド箱内にパッド箱に対してスライド可能に設けられたパッド支軸で、円柱形状の側面に切欠部を形成した形状を呈し、パッド支軸の軸線と平行な平面状の第１規制面（１３６ａ）と、第１規制面における該パッド支軸の該軸線方向の一方の端部から連設され、第１規制面に対して鈍角をなす第２規制面（１３６ｂ）と、第１規制面における該パッド支軸の軸線方向の他方の端部から連設され、第１規制面に対して鈍角をなす第３規制面（１３６ｃ）により切欠部が形成されたパッド支軸（１３０）と、
パッド支軸の軸線方向における第２規制面側を先端側とし第３規制面側を基端側とした場合に、パッド支軸の基端側の端部に設けられたパッドで、パッド支軸と反対側が鼻当接面となるパッド（１４０）と、
パッド箱のパッドネジ挿通穴に挿通するとともにネジ穴に螺合するパッドネジ（１５０）と、を有し、パッド支軸が水平方向に対して傾斜して設けられることによりパッドの鼻当接面が斜め下方を向いて設けられ、
パッド支軸をパッド箱に対して第３規制面側にスライドさせた場合に、パッド箱に設けられたパッドネジに第２規制面が接し、パッド支軸をパッド箱に対して第２規制面側にスライドさせた場合に、パッド箱に設けられたパッドネジに第３規制面が接し、
パッド支軸の第２規制面がパッドネジに接した状態で、パッド支軸のパッド側の端部をパッドネジに沿った軸線を中心にパッド箱に対して上方に回転させることにより、パッド支軸がパッドネジと第４部材のパッド支軸の先端側の内側の角部間に挟まりロックされた状態となることを特徴とする眼鏡。
【請求項２】
眼鏡を装着することにより、パッド支軸がパッド箱に対して斜め上方にスライドして、パッドが鼻に接している状態では、第２規制面がパッドネジから離れた状態となる第１使用状態となり、該第１使用状態から、テンプルを耳に掛けた状態でフレームを手で前方上向きに移動させることにより、パッド支軸がパッド箱を斜め下方にスライドして、パッド支軸の第２規制面がパッドネジに接した状態に戻り、フレームを持った手からフレームを放してフレームを落下させることにより、パッドが鼻に接して、パッド支軸のパッド側の端部がパッドネジに沿った軸線を中心にパッド箱に対して上方に回転し、パッド支軸がパッドネジと第４部材のパッド支軸の先端側の内側の角部間に挟まりロックされた状態でパッドが鼻に接する第２使用状態となり、第２使用状態では、第１使用状態と比べて、フレームが前側に位置することを特徴とする請求項１に記載の眼鏡。
【請求項３】
パッド支軸の先端側に磁石（１３８）を有し、パッドネジが磁石が吸引する材料である磁性体により形成され、眼鏡を装着することにより、該磁石にパッドネジが吸着される吸着力に抗して、パッド支軸がパッド箱に対して斜め上方にスライドして、パッドが鼻に接している状態では、第２規制面がパッドネジから離れた状態となる第１使用状態となり、該第１使用状態から、テンプルを耳に掛けた状態でフレームを手で前方上向きに移動させることにより、パッド支軸がパッド箱を斜め下方にスライドして、磁石にパッドネジが吸着され、パッド支軸の第２規制面がパッドネジに接した状態に戻り、フレームを持った手からフレームを放してフレームを落下させることにより、パッドが鼻に接して、パッド支軸のパッド側の端部がパッドネジに沿った軸線を中心にパッド箱に対して上方に回転し、パッド支軸がパッドネジと第４部材のパッド支軸の先端側の内側の角部間に挟まりロックされた状態でパッドが鼻に接する第２使用状態となることを特徴とする請求項１又は２に記載の眼鏡。
【請求項４】
パッドネジ（１５０）が磁力を有し、パッドネジ挿通穴（１２２）とネジ穴（１２４）に挿通される軸部（１５２）と、軸部の基端に設けられた頭部（１５４）とを有し、パッドネジの軸部の先端側の周面にネジ溝（１５２ａ）が形成され、パッドネジの軸部において第２規制面や第３規制面が接する周面にはネジ溝が形成されておらず円柱状の周面の形状を呈することを特徴とする請求項３に記載の眼鏡。
【請求項５】
眼鏡本体（１０）が、後方視認装置（２０−１、２０−２）を有し、後方視認装置が、収納部（３０）と、ミラーユニット（６０）とを有し、
収納部が、ミラーユニットを収納する収納部本体で、帯板状の側面部（３４）と側面部の前側位置から眼鏡の内側に向けて形成された帯板状の前面部（３６）と側面部の後側位置から眼鏡の内側に向けて形成された帯板状の後面部（３８）とを有し、フレームの端部の内側の位置に固定して設けられた収納部本体（３２）と、収納部本体の前面部と後面部間に略前後方向に支持された軸部材（５０）とを有し、
ミラーユニットが、収納部に軸部材の軸線を中心に回動自在に軸支された本体部で、ミラーユニットを回動操作するための操作つまみを有する本体部（６２）と、本体部に後方に向けて設けられたミラー（７４）と、を有し、
ミラーが収納部本体に収納された状態である収納状態から操作つまみを操作することにより、ミラーユニットが眼鏡の内側に回動し、ミラーが収納部本体から露出することを特徴とする請求項１又は２又は３又は４に記載の眼鏡。
【請求項６】
軸部材は、本体部（６２）の端部領域で、ミラーが収納部本体に収納された状態における本体部の下端の端部領域に設けられた挿通孔（６５ａ）に挿通され、ミラーの収納状態から操作つまみを操作することにより、ミラーユニットの上端が内側かつ下方に回動することを特徴とする請求項５に記載の眼鏡。
【請求項７】
蝶番部（１５）が、フレームとテンプルの内側に設けられ、該蝶番部が、蝶番構成部で、フレームに設けられたフレーム側蝶番構成部（１２ａ、１２ｂ）と、テンプルに設けられたテンプル側蝶番構成部（１４ａ）とからなる蝶番構成部（１１）と、蝶番構成部に挿通して蝶番構成部を軸支するネジである蝶番用ネジ（１７）とを有し、収納部が、収納部本体に固定され、眼鏡本体の蝶番部に該蝶番用ネジにより軸支された収納部本体支持部（４０）を有し、収納部本体支持部は、収納部本体の後面部に対して突出して形成された第１突出板部（４４）と第１突出板部と平行に設けられた第２突出板部（４６）とを有し、蝶番用ネジが、フレーム側蝶番構成部に螺合するネジ溝を周囲に有する軸部（１８）と、軸部の先端に設けられた頭部（１９）とを有し、第１突出板部が蝶番構成部の上端に接するとともに、第２突出板部は蝶番構成部の下端に接した状態で、第１突出板部を蝶番用ネジの頭部と蝶番構成部との間に挟んだ状態で、蝶番用ネジを締め付けることにより第１突出板部が固定されていることを特徴とする請求項５又は６に記載の眼鏡。
【請求項８】
軸部材の先端、又は、前面部における側面部とは反対側の辺部（３６−１）がレンズの外側の端部、又は、フレームに接することにより、収納部の蝶番用ネジを中心とした回動を規制していることを特徴とする請求項７に記載の眼鏡。
【請求項９】
本体部（６２）が、操作つまみに連設された板状部で、ミラーが収納部本体に収納された状態である収納状態の場合に、収納部本体内に収納される帯板状の帯板状部で、後側の面にミラーが設けられた帯板状部（６５）と、帯板状部から連設され、収納状態において収納部本体から突出し、操作つまみに連設された突状部（６６）とを有する板状部（６４）を有し、ミラーユニット（６０）が、帯板状部の前側又は後側の面に固着して設けられた静止用板部で、軸部材を挿通するための軸部材挿通穴が設けられ、軟質合成樹脂により形成された静止用板部（７０）を有し、該静止用板部と収納部本体の前面部又は後面部との摩擦力により、ミラーユニットが任意の回動角度で支持されることを特徴とする請求項５又は６又は７又は８に記載の眼鏡。
【請求項１０】
後方視認装置が、軸部材に掛止するための切欠部を有する板状の前後位置調整板部（８２、８４）を有し、該前後位置調整板部が軟質合成樹脂により形成され、該前後位置調整板部を本体部の前側又は後側において軸部材に掛止することにより収納部本体におけるミラーユニットの前後方向の位置を調整することを特徴とする請求項９に記載の眼鏡。
【請求項１１】
本体部は、静止用板部とともに軟質合成樹脂により一体に形成され、軸部材に掛止するための切欠部を有することを特徴とする請求項１０に記載の眼鏡。
【請求項１２】
直立した状態で収納された略長方形状のミラーが、操作つまみを操作することにより、横倒しとなってフレームに沿い、本体部における板状部と操作つまみと静止用板部と、前後位置調整板部とが、透明又は半透明の部材により形成され、収納部が、透明又は半透明の部材、又はフレームと同系色に着色された部材により形成されていることを特徴とする請求項１０又は１１に記載の眼鏡。
【発明の詳細な説明】
【技術分野】
【０００１】
本発明は、眼鏡における頂点間距離の調節手段を有する眼鏡枠に関するものであり、特に、矯正度数の入ったレンズが装着される眼鏡枠に対応して、頂点間距離を適正化しつつ、かつ、後方を視認する機能を付加することを可能とするものである。
【背景技術】
【０００２】
購入したばかりの眼鏡が何となく見にくい（例えば、車の運転中に交通標識の文字が鮮明に見えない、また、カレンダーの文字がクッキリ見えない）といった症状を自覚するときがある。このようなケースでは、レンズの矯正度数が正しい場合、頂点間距離の調整不足が原因であるときがある。
【０００３】
レンズの裏面から瞳（角膜）の頂点までの間隔は、一般に、角膜頂点間距離（以下、頂点間距離）と呼ばれるが、通常、１２ミリの間隔に保つことが約束事となっている。例えば、検査用眼鏡により矯正度数を決定するときには、最も顔側のレンズホルダに挿入される検査用レンズの裏面から被験者の瞳（角膜）の頂点までの間隔を、できるだけ１２ミリに保つようにして矯正度数を決定するとの要請がある。
【０００４】
また、ＪＩＳ規格によれば、眼鏡枠に装着される眼鏡用レンズは、レンズの裏面から眼の回旋中心までの距離を２５ミリ（角膜の頂点から眼の回旋中心までの標準距離は１３ミリであるので、したがって、頂点間距離は１２ミリ）の間隔で最も収差がでないように設計される。
【０００５】
よって、検査用眼鏡を使用して頂点間距離を１２ミリの間隔に保って矯正度数が決定され、その矯正度数に従って眼鏡用レンズが１２ミリの距離で最も収差がでないように設計されるならば、眼鏡枠に装着される眼鏡用レンズの裏面から装用者の瞳（角膜）の頂点までの距離は、１２ミリの間隔に保ってフィッティングさせるのが原則となる。
【０００６】
ところが、眼鏡枠に装着された眼鏡用レンズの位置決めをするときに、厚い検査用レンズを重ね合わせて決定した矯正度数と、その度数のもとに仕上げられた一枚の薄い眼鏡用レンズとでは、度数が同じであったとしても、頂点間距離は異なる場合がある。
【０００７】
この問題を解決するためには、眼鏡用レンズを前後に移動させて、レンズに固有の頂点間距離を確認するための眼鏡枠が必要となる。
【０００８】
例えば、特許文献１には眼鏡枠を前後に移動できる仕組みを設けたものとして、ストレートテンプルとストレートテンプルに取り付けられた係止部材とを備え、テンプルの長さを調節することで眼鏡枠を装着可能に形成された眼鏡フレームが記載されている。
【０００９】
また、特許文献２には、複数の磁石辺をパッドの内部に固定して眼鏡枠のフロントを上下動可能とするとともに、フロントとテンプルを上下に回転可能な支持片を介して連結して、眼鏡枠を上方に支持したときにフロントの下側が顔側に引き付けられることで、近用部が適正な高さと適正な前傾角度を保つことができるように形成された多焦点レンズ用眼鏡枠が存在する。
【００１０】
また、特許文献３には、装置本体の下端中央に逆V字形の鼻逃げ部を設け、ノーズパッドを前後・上下に移動させるための操作部材が配備され、ノーズパッドが移動自在に形成された眼鏡型映像表示装置が記載されている。
【００１１】
また、特許文献４には、棒状の鼻当ての上端を中央連結片の両端に取り付けて、鼻当ての調整を不要とする眼鏡が開示されている。
【００１２】
また、従来より、背後の様子を知ることができるように（例えば、背後の人（例えば、背後から近づいてくる不審者）や物（例えば、背後から近づいてくる自動車）を振り返ることなく気づくことができるように、）、後方視認機能を有する眼鏡が提案されている。
【００１３】
また、眼鏡のレンズやフレームに鏡面を設けたものとして、特許文献５の後方を観察するための装身具や、特許文献６のバックミラー付き眼鏡や、特許文献７の後方確認鏡付きの眼鏡及び眼鏡枠が存在する。
【００１４】
また、眼鏡の側方に縦方向の回動軸を中心に回動する鏡を設けたものとして、特許文献５の後方を観察するための装身具や、特許文献８のバックミラー付眼鏡が存在する。
【００１５】
また、眼鏡におけるテンプルに沿って鏡がスライドするものとして、特許文献５の後方を観察するための装身具や、特許文献９の眼鏡が存在する。
【００１６】
また、特許文献１１には、小型のミラーを装着したミラーフレームに、ミラー面に平行するピン挿入孔を設け、メガネフレームの側端部に固定するためのフックに、蔓と平行するピン挿入孔を設け、上記のミラーフレームおよびフックの各ピン挿入孔に、Ｌ字形に曲げたピンの両端を圧入してなるメガネ装着用バックミラーが開示されている。
【００１７】
また、特許文献１０には、レンズの後方で略水平に配置されるとともに一端側が前記側端部に枢設され、前記折り畳み方向に回動自在の回動アームと、前記回動アームと一緒に回動するミラー板であって、前記回動アームに略平行に配置され、前記回動アームを軸として回動自在のミラー板を備えた後方視認機能付眼鏡が記載されている。
【先行技術文献】
【特許文献】
【００１８】
【特許文献１】特開２００７−４１４６０号公報
【特許文献２】特開２０００−１４７４３７号公報
【特許文献３】特開平６−１４１２５８号公報
【特許文献４】特開２００２−２２１６９３号公報
【特許文献５】特開２００９−２２５９２５号公報
【特許文献６】特開２００２−４９０１２号公報
【特許文献７】実用新案登録第３１１４６４７号公報
【特許文献８】実開平５−５２８１８号公報
【特許文献９】実用新案登録第３１１４６９８号公報
【特許文献１０】特開２０１１−１６４１１９号公報
【特許文献１１】特開２００１−２１５４５１号公報
【発明の概要】
【発明が解決しようとする課題】
【００１９】
しかし、レンズの裏面から瞳（角膜）の頂点までの間隔、すなわち、頂点間距離を適正化するためには、特許文献１に記載の眼鏡フレームでは、テンプルの長さを調節することで眼鏡を装着可能に形成されているので、眼鏡を掛けることはできるが頂点間距離を調整することができない。すなわち、レンズからイアポイント（耳の頂点）までの距離と、レンズの裏面から瞳（角膜）の頂点までの間隔とは、必ずしも相関関係にないからである。レンズからイアポイントまでの距離を合わせれば、頂点間距離が１２ミリの間隔になるわけではなく、個人差が出る。
【００２０】
また、特許文献２に記載の多焦点レンズ用眼鏡は、多焦点レンズにおける近用部を見やすくするために、レンズを上方に支持して近用部の位置を眼の高さに上げるとともに、レンズの下端を顔側に引き付けることで前側に開いたフロントの前傾角度を修正し、遠用部・近用部とがともに適正な頂点間距離と適正な前傾角度を保つことができるように設計されているが、頂点間距離を適正化するためには、レンズの裏面から瞳（角膜）の頂点までの距離を１２ミリの間隔に保った状態から、さらに前側にレンズを移動させて見やすさを比較する必要がある。すなわち、検査用眼鏡において矯正度数が決定され、その度数のもとに眼鏡用レンズが仕上げられた場合、眼鏡枠に装着された状態では、眼鏡用レンズが１２ミリ以外の固有の間隔で適正化される場合があるからである。よって、特許文献２に記載の眼鏡は、頂点間距離を適正化するための確認手段とはならない。
【００２１】
また、特許文献３に記載の眼鏡型映像表示装置に装着されたノーズパッドは、操作部材により前後・上下方向に移動自在に形成されているが、ギアによる大掛かりな構造を要するために、一般の眼鏡枠に応用することができない。
【００２２】
また、特許文献４に記載の眼鏡は、中央連結片の両端に棒状の鼻当ての上端を固定して、一対の鼻当ての幅を変えることによって鼻当ての調整を不要とするものであるが、レンズの見やすさを比較するためにフロントを前側に移動させようとすると、一対の鼻当ての幅が狭まり棒状の鼻当ての下部が鼻に当接する結果、眼鏡枠が上向いてレンズのアイポイント（光学中心としてもよい）と装用者の瞳孔中心の位置がずれ、レンズを通して網膜に結像する像の比較が不正確となる。もともと、特許文献４に記載の眼鏡も、特許文献２に記載の眼鏡と同様に、多焦点レンズ用眼鏡として、近用部の位置を上方に付勢することを想定している。よって、特許文献４に記載の眼鏡枠は、頂点間距離の適否を確認するための手立てとはならない。
【００２３】
そこで、本発明が解決しようとする問題点（主たる問題点）は、眼鏡にフロントを前後に移動させる機能を付加することで、矯正度数の入った眼鏡用レンズが装着される場合、レンズの裏面から瞳（角膜）の頂点までの間隔における最適な配置（すなわち、検査用眼鏡を通して得られた矯正効果を再現できる間隔）がどの位置であるのかを装用者自らが確認することのできる眼鏡枠を提供し、眼鏡用レンズにおける頂点間距離を適正化することである。
【００２４】
次に、眼鏡にミラーを取り付けて後方を視認できることは防犯に役立つが、矯正度数の入ったレンズが装着された眼鏡枠にミラーを設ける場合には、レンズと瞳（角膜）の頂点との間隔、すなわち、頂点間距離が決定されて、はじめて、後方を視認可能とするためのミラーと瞳（角膜）との間隔、すなわち、明視距離が定まり、後方の視野範囲を決定するためのミラーの設置角度が定まる。
【００２５】
しかし、眼鏡のレンズやフレームに鏡面を設けたものにおいては、ミラーが固定して設けられるので、後方の視野範囲（又は設置角度）を調整することができず、レンズと瞳（角膜）との距離を１２ミリの間隔で適正化すると、ミラーと瞳（角膜）との間隔、すなわち、明視距離が極端に狭くなるので、ミラーを通して後方を視認しづらくなるという問題がある。
【００２６】
また、特許文献１０に記載の後方視認機能付眼鏡においては、テンプルの折畳み方向に回動自在な回動アームを有し、回動アームを軸として回動自在なミラー板をレンズの内側に有するので、レンズの裏面から瞳（角膜）の頂点までの間隔を１２ミリに保った状態で頂点間距離を適正化すると、明視距離が狭すぎてミラーを通して後方を視認しづらくなるとともに、ミラー板が眼（特に、まつ毛）に触れて危険であるという問題がある。頂点間距離が１２ミリの間隔では、まつ毛とレンズとの間にはほとんど隙間がない状態である。また、ミラー板が水平方向の回動アームを軸として回動自在であるので、ミラー板を回動させることにより、水平方向になると目に触れてしまうおそれがあるとともに、回動アーム自体もテンプルの折畳み方向に回動可能であるので、ミラー板の使用時に回動アームが回動して目に触れてしまうおそれがあり、危険であるという問題がある。
【００２７】
そこで、本発明が解決しようとする二つ目の問題点（第１の副次的な問題点）は、矯正度数の入ったレンズが装着された眼鏡枠に後方を視認するためのミラーを設ける場合に、頂点間距離が１２ミリの間隔で適正化されてもミラーを通して後方を視認することができるとともに、ミラーが眼（特に、まつ毛）に近接し過ぎて危険とならないように、眼鏡枠を前後に移動させてミラーと瞳（角膜）との間隔、すなわち、明視距離を調節することが可能な眼鏡枠を提供することで、後方視認機能付眼鏡を矯正度数の入ったレンズが装着される眼鏡枠に対応させることである。
【００２８】
次に、後方を視認できることは防犯に役立つとしても、眼鏡にミラーを取り付けて後方を視認することに対しては、社会的な了解が十分ではない。よって、後方を視認していることが他者に分からないような配慮をしなければ、実用性に欠ける。さらに、眼鏡にミラーを固定して設けると、常に光が乱反射するので、眼鏡として使用し難くなる。逆に、ミラーを取り外し可能に形成すると、必要なときに即座に後方を視認することができないので、機動性に欠けたものとなる。
【００２９】
例えば、眼鏡のレンズやフレームに鏡面を設けたものにおいては、ミラーを必要としないときにおいても、常に、光がミラーに当たり乱反射するので、眼鏡として扱いにくい。また、鏡面をレンズに設けた場合には、鏡が前方から目立ってしまい、周囲の人に違和感を与えるという問題がある。
【００３０】
また、眼鏡の側方に縦方向の回動軸を中心に回動する鏡を設けたものにおいては、鏡が前方や側方に突出するので、鏡が目立ってしまい、周囲の人に違和感を与える。
【００３１】
また、眼鏡におけるテンプルに沿って鏡がスライドするものにおいては、鏡が前方に突出するので、鏡が目立ってしまい、周囲の人に違和感を与える。
【００３２】
また、特許文献１１に記載のメガネ装着用バックミラーにおいては、レンズの前方にバックミラーが設けられるので、鏡が目立ってしまい、周囲の人に違和感を与えるとともに、取り外し可能に形成されているが、ミラーを取り外し可能に形成すると、必要なときに即座に後方を視認することができないので、機動性に欠けるという問題がある。
【００３３】
そこで、本発明が解決しようとする三つ目の問題点（第２の副次的な問題点）は、ミラーを収納するための収納ケースを設けて、収納ケースを眼鏡の内側に設けることで、収納ケースから露出したミラーを周囲から目立たなくさせることができ、また、ミラーの未使用時にはミラーを収納ケースに収納することで、ミラーによる光の乱反射を防ぐことができ、さらには、必要なときに即座に収納ケースからミラーを安全に（眼、特にまつ毛に触れることのないように）露出させることができるように、眼鏡枠を前後に移動させて、収納ケースと眼との間隔、すなわち、設置距離を調節することができる眼鏡枠を提供し、後方視認機能付眼鏡を実用化することである。
【課題を解決するための手段】
【００３４】
本発明は上記問題点を解決するために創作されたものであって、第１には、頂点間距離を調節可能に形成された眼鏡であって、左右一対のレンズ（１６−１、１６−２）と、該レンズを支持するフレーム（１２）と、フレーム１２の両側の端部に蝶番部（１５）を介して回動自在に形成されたテンプル（１４−１、１４−２）と、を有する眼鏡本体（１０）と、フレームに設けられた左右一対の鼻当て（１００−１、１００−２）とが設けられ、各鼻当てが、フレームに固定されたパッド足（１１０）と、パッド足のフレームとは反対側の端部に固定された四角枠状のパッド箱で、パッド足に固定された第１部材（１２０ａ）と、第１部材の相対する辺部から第１部材に対して直角に設けられ互いに平行に設けられた第２部材（１２０ｂ）及び第３部材（１２０ｃ）と、第２部材と第３部材に対して直角に設けられ、第１部材と平行に設けられた第４部材（１２０ｄ）とにより四角枠状を呈し、第２部材にパッドネジ挿通用のパッドネジ挿通穴（１２２）が設けられ、第３部材にパッドネジと螺合するネジ穴（１２４）が設けられたパッド箱（１２０）と、パッド箱内にパッド箱に対してスライド可能に設けられたパッド支軸で、円柱形状の側面に切欠部を形成した形状を呈し、パッド支軸の軸線と平行な平面状の第１規制面（１３６ａ）と、第１規制面における該パッド支軸の該軸線方向の一方の端部から連設され、第１規制面に対して鈍角をなす第２規制面（１３６ｂ）と、第１規制面における該パッド支軸の軸線方向の他方の端部から連設され、第１規制面に対して鈍角をなす第３規制面（１３６ｃ）により切欠部が形成されたパッド支軸（１３０）と、パッド支軸の軸線方向における第２規制面側を先端側とし第３規制面側を基端側とした場合に、パッド支軸の基端側の端部に設けられたパッドで、パッド支軸と反対側が鼻当接面となるパッド（１４０）と、パッド箱のパッドネジ挿通穴に挿通するとともにネジ穴に螺合するパッドネジ（１５０）と、を有し、パッド支軸が水平方向に対して傾斜して設けられることによりパッドの鼻当接面が斜め下方を向いて設けられ、パッド支軸をパッド箱に対して第３規制面側にスライドさせた場合に、パッド箱に設けられたパッドネジに第２規制面が接し、パッド支軸をパッド箱に対して第２規制面側にスライドさせた場合に、パッド箱に設けられたパッドネジに第３規制面が接し、パッド支軸の第２規制面がパッドネジに接した状態で、パッド支軸のパッド側の端部をパッドネジに沿った軸線を中心にパッド箱に対して上方に回転させることにより、パッド支軸がパッドネジと第４部材のパッド支軸の先端側の内側の角部間に挟まりロックされた状態となることを特徴とする。
【００３５】
この第１の構成の眼鏡枠においては、通常の眼鏡と同様に、眼鏡のテンプルを耳に掛けて装着して使用する。パッド支軸が長めの軸長を有し、パッド箱内をスライド可能に形成されているので、パッド箱に対し、パッド支軸の軸長を変化させることにより、眼鏡枠を前後に移動させることができる。よって、眼鏡枠に装着されたレンズの裏面から瞳（角膜）の頂点までの間隔、すなわち、頂点間距離を調節することができる。また、矯正度数の入ったレンズが装着された眼鏡枠に、後方を視認するためのミラーを設ける場合には、ミラーから瞳（角膜）までの間隔、すなわち、明視距離を調節することができる。さらに、ミラーを収納するための収納ケースを設ける場合には、収納ケースから眼までの間隔、すなわち、設置距離を調節することができる。
【００３６】
また、第２には、上記第１の構成において、眼鏡を装着することにより、パッド支軸がパッド箱に対して斜め上方にスライドして、パッドが鼻に接している状態では、第２規制面がパッドネジから離れた状態となる（「状態である」としてもよい）第１使用状態となり、該第１使用状態から、テンプルを耳に掛けた状態でフレームを手で前方上向きに移動させることにより、パッド支軸がパッド箱を斜め下方にスライドして、パッド支軸の第２規制面がパッドネジに接した状態（初期状態）に戻り（「状態（初期状態）になり」としてもよい）、フレームを持った手からフレームを放してフレームを落下させることにより、パッドが鼻に接して、パッド支軸のパッド側の端部がパッドネジに沿った軸線を中心にパッド箱に対して上方に回転し、パッド支軸がパッドネジと第４部材のパッド支軸の先端側の内側の角部間に挟まりロックされた状態でパッドが鼻に接する第２使用状態となり、第２使用状態では、第１使用状態と比べて、フレームが前側に位置することを特徴とする。
【００３７】
この第２に構成の眼鏡枠においては、第３規制面がパッドネジに接する第１使用状態の位置からフレームを前側に押し出して、第２規制面がパッドネジに接して頂点間距離を長くした第２使用状態とすることができるので、眼鏡枠に矯正度数の入ったレンズが装着される場合には、頂点間距離を１２ミリの間隔に保った第１使用状態と、頂点間距離を長くした第２使用状態との間で、レンズを通して網膜に映り込む像の見やすさを比較することができる。よって、頂点間距離における最適な間隔（すなわち、検査用レンズを通し得られた矯正効果を再現できる間隔）がどちらであるのかを装用者自らが確認することができる。
【００３８】
また、矯正度数の入ったレンズが装着された眼鏡枠に、後方を視認するためのミラーを設ける場合には、頂点間距離が適正化された第１使用状態（通常、１２ミリの間隔）から、フレームを前側に押し出して、ミラーと瞳（角膜）との間隔、すなわち、明視距離を長くした第２使用状態とすることができるので、頂点間距離が１２ミリの間隔で適正化された場合においても、ミラーを通して後方を視認しやすくすることができる。
【００３９】
さらに、ミラーを収納するための収納ケースを設ける場合には、頂点間距離が適正化された第１使用状態（通常、１２ミリの間隔）から、収納ケースと眼との間隔、すなわち、設置距離を長くした第２使用状態とすることができるので、収納ケースを眼鏡枠の内側に設けることにより、収納ケースから露出したミラーを周囲から目立たなくさせることができるとともに、収納ケースから露出したミラーが眼（特に、まつ毛）に触れることがないように、第２使用状態の位置で操作をすることができるので、収納ケースからミラーを安全に露出させることができる。
【００４０】
また、第３には、上記第１又は第２の構成において、パッド支軸の先端側に磁石（１３８）を有し、パッドネジが磁石が吸引する材料である磁性体により形成され、眼鏡を装着することにより、該磁石にパッドネジが吸着される吸着力に抗して、パッド支軸がパッド箱に対して斜め上方にスライドして、パッドが鼻に接している状態では、第２規制面がパッドネジから離れた状態となる（「状態である」としてもよい）第１使用状態となり、該第１使用状態から、テンプルを耳に掛けた状態でフレームを手で前方上向きに移動させることにより、パッド支軸がパッド箱を斜め下方にスライドして、磁石にパッドネジが吸着され、パッド支軸の第２規制面がパッドネジに接した状態（初期状態）に戻り（「状態（初期状態）になり」としてもよい）、フレームを持った手からフレームを放してフレームを落下させることにより、パッドが鼻に接して、パッド支軸のパッド側の端部がパッドネジに沿った軸線を中心にパッド箱に対して上方に回転し、パッド支軸がパッドネジと第４部材のパッド支軸の先端側の内側の角部間に挟まりロックされた状態でパッドが鼻に接する第２使用状態となることを特徴とする。
【００４１】
この第３に構成の眼鏡枠においては、第２使用状態とするときに、パッド支軸の先端側に設けられた磁石にパッドネジが吸着されることにより、パッドが鼻に接した反動で、パッド支軸がパッド箱に対して斜め上方にスライドして、パッド箱内に押し戻されるのを防ぐことができる。
【００４２】
また、第４には、上記第３の構成において、パッドネジ（１５０）が磁力を有し、パッドネジ挿通穴（１２２）とネジ穴（１２４）に挿通される軸部（１５２）と、軸部の基端に設けられた頭部（１５４）とを有し、パッドネジの軸部の先端側の周面にネジ溝（１５２ａ）が形成され、パッドネジの軸部において第２規制面や第３規制面が接する周面にはネジ溝が形成されておらず円柱状の周面の形状を呈することを特徴とする。
【００４３】
この第４に構成の眼鏡枠においては、パッドネジの軸部において第２規制面や第３規制面が接する周面にはネジ溝が形成されておらず円柱状の周面の形状を呈するので、第１規制面が軸部の周面に接しても円滑にパッド支軸がパッド箱に対してスライドすることができる。また、パッドネジが磁力を有するので、パッド支軸１３０の先端に設けられた磁石（磁気を帯びた第２規制面）と磁力を有するパッドネジとが吸着し合うことで、吸着力を強めることができる。
【００４４】
また、第５には、上記第１又は第２又は第３又は第４の構成において、眼鏡本体（１０）が、後方視認装置（２０−１、２０−２）を有し、後方視認装置が、収納部（３０）と、ミラーユニット（６０）とを有し、収納部が、ミラーユニットを収納する収納部本体で、帯板状の側面部（３４）と側面部の前側位置から眼鏡の内側に向けて形成された帯板状の前面部（３６）と側面部の後側位置から眼鏡の内側に向けて形成された帯板状の後面部（３８）とを有し、フレームの端部の内側の位置に固定して設けられた収納部本体（３２）と、収納部本体の前面部と後面部間に略前後方向に支持された軸部材（５０）とを有し、ミラーユニットが、収納部に軸部材の軸線を中心に回動自在に軸支された本体部で、ミラーユニットを回動操作するための操作つまみを有する本体部（６２）と、本体部に後方に向けて設けられたミラー（７４）と、を有し、ミラーが収納部本体に収納された状態である収納状態から操作つまみを操作することにより、ミラーユニットが眼鏡の内側に回動し、ミラーが収納部本体から露出することを特徴とする。
【００４５】
この第５に構成の眼鏡枠においては、ミラーを収納するための収納ケース（以下、後方視認装置における収納部）を有し、後方視認装置を使用しない場合には、ミラーが収納部本体に収納された状態とし、後方視認装置を使用する場合には、操作つまみにより本体部を軸部材を中心に回動させてミラーを収納部本体から露出させて、ミラーにより後方を視認する。
【００４６】
上記第５の構成の眼鏡枠においては、ミラーを眼鏡に常備することができ、ミラーの使用時には、即座にミラーを露出させて後方を視認することができるので、機動性に富むとともに、ミラーの未使用時には、ミラーを収納部本体に収納することができるので、ミラーによる光の乱反射を防ぐことができる。
【００４７】
また、収納部本体はフレームの端部の内側に設けられ、後方視認装置はフレームの端部の内側に設けられるので、ミラーの使用時や未使用時にミラーが目立つことがない。特に、ミラーの未使用時にはミラーは収納部本体内に収納され、また、ミラーの使用時にもミラーは未使用時の状態から内側に回動して、未使用時の状態から外側に回動することがないので、使用時にもミラーが目立つことがない。ミラーが未使用時及び使用時に目立つことがないので、周囲の人に違和感を与えることがない。
【００４８】
また、ミラーの未使用時には、ミラーはフレームの端部の内側に設けられた収納部本体に収納されるので、ミラーの未使用時に視界が妨げられることがない。
【００４９】
また、第６には、上記第５の構成において、軸部材は、本体部（６２）の端部領域で、ミラーが収納部本体に収納された状態における本体部の下端の端部領域に設けられた挿通孔（６５ａ）に挿通され、ミラーの収納状態から操作つまみを操作することにより、ミラーユニットの上端が内側かつ下方に回動することを特徴とする。
【００５０】
よって、ミラーユニットが眼鏡枠の内側かつ下方に回動して、露出したミラーがフレームに寄り沿うので、露出したミラーを外側から目立たなくさせることができる。また、ミラーが略前後方向に支持された軸部材を中心にフレームの内側の面に沿って回動するので、ミラーが眼に触れて危険となることがない。また、操作つまみが本体部の下端（ミラーが収納部本体に収納された状態における本体部の下端）に位置させることにより、眼鏡枠を装着した状態でミラーの回動操作をしやすくすることができる。
【００５１】
また、第７には、上記第５又は第６の構成において、蝶番部（１５）が、フレームとテンプルの内側に設けられ、該蝶番部が、蝶番構成部で、フレームに設けられたフレーム側蝶番構成部（１２ａ、１２ｂ）と、テンプルに設けられたテンプル側蝶番構成部（１４ａ）とからなる蝶番構成部（１１）と、蝶番構成部に挿通して蝶番構成部を軸支するネジである蝶番用ネジ（１７）とを有し、収納部が、収納部本体に固定され、眼鏡本体の蝶番部に該蝶番用ネジにより軸支された収納部本体支持部（４０）を有し、収納部本体支持部は、収納部本体の後面部に対して突出して形成された第１突出板部（４４）と第１突出板部と平行に設けられた第２突出板部（４６）とを有し、蝶番用ネジが、フレーム側蝶番構成部に螺合するネジ溝を周囲に有する軸部（１８）と、軸部の先端に設けられた頭部（１９）とを有し、第１突出板部が蝶番構成部の上端に接するとともに、第２突出板部は蝶番構成部の下端に接した状態で、第１突出板部を蝶番用ネジの頭部と蝶番構成部との間に挟んだ状態で、蝶番用ネジを締め付けることにより第１突出板部が固定されていることを特徴とする。
【００５２】
よって、収納部はネジに沿った軸線を中心に容易に回動することがなく、後方視認装置が眼に触れて危険となることがない。また、第１突出板部のみ固定されるので、第１突出板部の平面を軸として、収納部本体の鉛直方向における設置角度を調整することにより、後方の上下方向の視野範囲を調整することができる。
【００５３】
また、第８には、上記第７の構成において、軸部材の先端、又は、前面部における側面部とは反対側の辺部（３６−１）がレンズの外側の端部、又は、フレームに接することにより、収納部の蝶番用ネジを中心とした回動を規制していることを特徴とする。
【００５４】
よって、後方視認装置が、蝶番用ネジの締め付けが緩んだ状態においても、蝶番用ネジの軸線を中心とした回動を防止することができ、露出したミラーが眼に触れることなく安全に使用することができる。また、収納部の回動が規制されるまでの範囲において、収納部本体の水平方向における設置角度を調整することにより、後方の左右方向の視野範囲を調整することができる。
【００５５】
また、第９には、上記第５又は第６又は第７の第８の構成において、本体部（６２）が、操作つまみに連設された板状部で、ミラーが収納部本体に収納された状態である収納状態の場合に、収納部本体内に収納される帯板状の帯板状部で、後側の面にミラーが設けられた帯板状部（６５）と、帯板状部から連設され、収納状態において収納部本体から突出し、操作つまみに連設された突状部（６６）とを有する板状部（６４）を有し、ミラーユニット（６０）が、帯板状部の前側又は後側の面に固着して設けられた静止用板部で、軸部材を挿通するための軸部材挿通穴が設けられ、軟質合成樹脂により形成された静止用板部（７０）を有し、該静止用板部と収納部本体の前面部又は後面部との摩擦力により、ミラーユニットが任意の回動角度で支持されることを特徴とする。
【００５６】
この第９の構成の眼鏡においては、帯板状部の前側又は後側の面に、軟質合成樹脂により形成された静止用板部が固定して設けられているので、該静止用板部と収納部本体の前面部又は後面部との摩擦力により、ミラーユニットが任意の回動角度で支持される。
【００５７】
よって、ミラーユニットを任意の角度（見やすい位置）に回動させることができるので、後方の視野範囲を調節することにより、眼の回旋による負担を軽減することができるとともに、収納状態、あるいは、ミラーが露出した状態において、ミラーの姿勢を保持することができるので、安全に使用することができる。
【００５８】
また、第１０には、上記第９の構成において、後方視認装置が、軸部材に掛止するための切欠部を有する板状の前後位置調整板部（８２、８４）を有し、該前後位置調整板部が軟質合成樹脂により形成され、該前後位置調整板部を本体部の前側又は後側において軸部材に掛止することにより収納部本体におけるミラーユニットの前後方向の位置を調整することを特徴とする。この前後位置調整板部により、ミラーユニットの前後位置を調整することができるので、厚みの異なる度入りレンズに対応して、ミラーをレンズの裏面直近に配置することができ、また、ミラーユニットを回動させた場合でも、ミラーユニットがレンズの裏面に沿って回動するので、ミラーが眼に触れて危険となることがなく、安全に使用することができる。
【００５９】
また、第１１には、上記第１０の構成において、本体部は、静止用板部とともに軟質合成樹脂により一体に形成され、軸部材に掛止するための切欠部を有することを特徴とする。よって、露出したミラーが眼に接触した場合でも、本体部を変形しやすくすることで、ミラーによる眼の損傷を未然に防止することができ、安全に使用することができる。また、本体部が切欠部を有することで、ミラーユニットの取り付けが容易となる。
【００６０】
また、第１２には、上記第１０又は第１１の構成において、直立した状態で収納された略長方形状のミラーが、操作つまみを操作することにより、横倒しとなってフレームに沿い、本体部における板状部と操作つまみと静止用板部と、前後位置調整板部とが、透明又は半透明の部材により形成され、収納部が、透明又は半透明の部材、又はフレームと同系色に着色された部材により形成されていることを特徴とする。
【００６１】
よって、収納部本体から露出したミラーを、フレームに沿った位置で全開状態（定位置）とすることができるので、眼鏡枠を外側から見た場合に、フレームの陰にミラーを隠すことができるとともに、露出時においては横長となるので、後方の水平方向の視野範囲を広めに確保することができる。また、収納部が透明又は半透明の部材により形成されることにより、後方視認装置が目立つことなく、周囲の人に違和感を与えることがなく、また、収納部がフレームと同系色に着色された部材により形成されることにより、後方視認装置がフレームと一体化して目立つことがなく、周囲の人に違和感を与えることがない。
【発明の効果】
【００６２】
本発明に基づく眼鏡枠によれば、パッド支軸がパッド箱内をスライド可能に形成されているので、パッド支軸の軸長を変化させることにより、眼鏡を前後に移動させることができる。よって、眼鏡に装着される眼鏡用レンズにおいて、レンズの裏面から瞳（角膜）の頂点までの間隔、すなわち、頂点間距離を調節することができる。したがって、矯正度数の入った眼鏡用レンズが装着される場合には、装用者自らが眼鏡を装着して眼鏡枠を前後に移動させることにより、レンズを通して網膜に映り込む像の見やすさを比較することができ、検査用眼鏡により得られた矯正効果を最大限に発揮できる間隔、すなわち、各眼鏡用レンズに固有の頂点間距離を確認することができる。
【００６３】
また、矯正度数の入ったレンズが装着される眼鏡枠に、後方を視認するためのミラーを設ける場合には、レンズと瞳（角膜）の頂点との間隔、すなわち、頂点間距離が適正化された第1使用状態（通常、１２ミリの間隔）から、フレームを前側に押し出して、頂点間距離を長くした第２使用状態とすることができるので、ミラーと瞳（角膜）との間隔、すなわち、明視距離を調節することができる。よって、矯正度数の入った眼鏡用レンズが装着された眼鏡枠に対応して、頂点間距離を適正化しつつ、かつ、明視距離を長くしてミラーを通して後方を視認しやすくすることができる。
【００６４】
さらに、ミラーを収納するための収納ケースを設ける場合には、頂点間距離が適正化された第１使用状態（通常、１２ミリの間隔）から、フレームを前側に押し出して、頂点間距離を長くした第２使用状態とすることができるので、収納ケースと眼との間隔、すなわち、設置距離を調節することができる。よって、収納ケースをフレームの内側に設けて、収納ケースから露出したミラーを周囲から目立たなくさせることができるとともに、設置距離を長くした第２使用状態の位置でミラーユニットの回動操作を行うことにより、ミラーが眼（特に、まつ毛）に触れることがないように安全に露出させることができる。また、収納ケースを設けることにより、ミラーの未使用時には、ミラーを収納ケースに収納することで、ミラーによる光の乱反射を防ぐことができ、さらに、ミラーの使用時には、必要なときに即座に収納ケースからミラーを露出させることができるので、ミラーを常備することで機動性を確保することができる。
【図面の簡単な説明】
【００６５】
【図１】本実施例の眼鏡枠の後方斜視図である。
【図２】本実施例の眼鏡枠に、後方視認装置を装着した状態の後方斜視図である。
【図３】本実施例の眼鏡枠の要部後方斜視図である。
【図４】本実施例の眼鏡枠における鼻当ての分解斜視図である。
【図５】本実施例の眼鏡枠における鼻当ての側面図である。
【図６】図５におけるＷ−Ｗ位置の要部断面図である。
【図７】本実施例の眼鏡枠における鼻当ての平面図である。
【図８】本実施例の眼鏡枠における鼻当ての取付け方向を示す説明図である。
【図９】本実施例の眼鏡枠の使用方法を説明する説明図である。
【図１０】本実施例の眼鏡枠の使用方法を説明する説明図である。
【図１１】鼻当ての応用例を示す説明図である。
【図１２】鼻当ての応用例を示す説明図である。
【図１３】本実施例の眼鏡枠に装着された後方視認装置において、ミラーを収納した状態の要部後方斜視図である。
【図１４】本実施例の眼鏡枠に装着された後方視認装置において、ミラーを露出した状態の要部後方斜視図である。
【図１５】本実施例の眼鏡枠に装着された後方視認装置の要部平面図である。
【図１６】本実施例の眼鏡枠に装着された後方視認装置の要部正面図である。
【図１７】本実施例の眼鏡枠に装着された後方視認装置の要部側面図である。
【図１８】本実施例の眼鏡枠に装着された後方視認装置の分解斜視図である。
【図１９】本実施例の眼鏡枠に装着された後方視認装置の収納部の分解斜視図である。
【図２０】本実施例の眼鏡枠に装着された後方視認装置のミラーユニットの分解斜視図である。
【図２１】本実施例の眼鏡枠に装着された後方視認装置の前後位置調整板部の正面図である。
【図２２】本実施例の眼鏡枠に装着された後方視認装置の前後位置調整板部の使用方法を説明する説明図である。
【図２３】本実施例の眼鏡枠に装着された後方視認装置の前後位置調整板部の使用方法を説明する説明図である。
【図２４】本実施例の眼鏡枠に装着された後方視認装置の使用方法を説明する説明図である。
【図２５】検査用眼鏡の各レンズホルダに装着される検査用レンズの装着位置を示す説明図である。
【発明を実施するための形態】
【００６６】
本発明の眼鏡においては、眼鏡を前側に押し出すことができるので、レンズの裏面から瞳（角膜）の頂点までの間隔、すなわち、頂点間距離を調節することができる。よって、矯正度数の入った眼鏡用レンズが装着される場合には、検査用眼鏡により得られた矯正効果を最大限に発揮できる間隔、すなわち、各レンズに固有の頂点間距離を確認することができる。
【００６７】
また、矯正度数の入ったレンズが装着された眼鏡に、後方を視認するためのミラーを設ける場合には、頂点間距離が適正化された状態（通常、１２ミリの間隔）から、眼鏡を前側に押し出すことができるので、ミラーと瞳（角膜）との間隔、すなわち、明視距離を調節することができる。よって、矯正度数の入ったレンズが装着された眼鏡枠に対応して、頂点間距離を適正化しつつ、かつ、ミラーを通して後方を視認しやすくすることができる。
【００６８】
さらに、ミラーの未使用時にはミラーによる光の乱反射を抑え、ミラーの使用時には即座に機動できるように、ミラーを収納するための収納ケースを設ける場合には、眼鏡を前側に押し出すことができるので、収納ケースと眼（特に、まつ毛）との間隔、すなわち、設置距離を調節することができる。よって、収納ケースを眼鏡枠の内側に設けて、収納ケースから露出したミラーを周囲から目立たなくさせることができるとともに、収納ケースと眼との間隔を開けて操作することができるので、収納ケースからミラーを安全に露出させることができる。
【００６９】
以上の目的を以下のようにして実現した。
【００７０】
本実施例に基づく頂点間距離の調節機能付眼鏡５（以下単に「眼鏡５」とする）において、頂点間距離を調節するための鼻当て１００−１、１００−２は、図１、図３〜図１２に示すように構成され、さらに、眼鏡５にミラーを収納するための収納ケース（以下、後方視認装置における「収納部３０」）を設けて後方視認機能を付加する場合には、図２、図１３〜図２４に示すように構成される。
【００７１】
本実施例に基づく眼鏡５は、眼鏡本体１０と、眼鏡本体１０におけるフレーム１２に設けられた一対の鼻当て１００−１、１００−２とを有し、後方視認機能を付加する場合には、眼鏡本体１０における左右の蝶番部（ヒンジ部としてもよい）１５に設けられた後方視認装置２０−１、２０−２とを有している。
【００７２】
ここで、眼鏡本体１０は、フレーム１２と、フレーム１２の左右両端にフレーム１２に対して回動自在に設けられたテンプル１４−１、１４−２と、フレーム１２に取り付けられた一対のレンズ１６−１、１６−２とを有している。
【００７３】
この眼鏡本体１０は従来の眼鏡と略同様の構成であり、フレーム１２は、フレーム１２の左側を構成する左側構成部１２−Ａと、フレーム１２の右側を構成する右側構成部１２−Ｂと、左側構成部１２−Ａと右側構成部１２−Ｂ間を連結するブリッジ部１２−Ｃとを有している。左側構成部１２−Ａには左眼用のレンズ１６−１が設けられ、右側構成部１２−Ｂには右眼用のレンズ１６−２が設けられている。
【００７４】
後方視認装置２０−１、２０−２を装着する場合には、フレーム１２において、左右の両側の端部に後方に屈曲した屈曲部１２−１、１２−２を有し、フレーム１２の左右の端部が後方に屈曲した形状を呈するものが好ましい。すなわち、左側構成部１２−Ａのブリッジ部１２−Ｃ側とは反対側の端部に屈曲部１２−１が設けられ、右側構成部１２−Ｂのブリッジ部１２−Ｃ側とは反対側の端部に屈曲部１２−２が設けられている。この屈曲部１２−１、１２−２は、レンズ１６−１、１６−２の外側の端部よりも外側に設けられ、屈曲部１２−１は、左側のレンズ１６−１の外側の端部よりも外側（左側）に設けられ、屈曲部１２−２は、右側のレンズ１６−２の外側の端部よりも外側（右側）に設けられている。これにより、屈曲部１２−１、１２−２の内側には後方視認装置２０−１、２０−２を配置する空間が形成されている。
【００７５】
フレーム１２とテンプル１４−１、１４−２とは、蝶番部１５を介して連結され、この蝶番部１５は、フレーム１２の端部（屈曲部１２−１、１２−２の端部としてもよい）の内側から内側に突出した一対の突出部１２ａ、１２ｂ（フレーム側蝶番構成部）とテンプル１４−１、１４−２の前方の端部の内側から突出した突出部１４ａ（テンプル側蝶番構成部）と、突出部１２ａ、１４ａ、１２ｂに挿通されたネジ１７（蝶番用ネジ）を有している。突出部１２ａ、１２ｂと突出部１４ａとで、蝶番構成部１１が構成される。つまり、蝶番部１５は、フレーム１２とテンプル１４−１、１４−２の内側に設けられている。また、ネジ１７は、軸部１８と、軸部１８の基端に設けられた頭部１９とを有し、軸部１８は円柱形状を呈し、外周にはネジ溝が形成されている。ネジ１７（特に、軸部１８）は、上下方向（Ｚ１−Ｚ２方向）を向いている。また、突出部１２ａ、１２ｂにはネジ１７のネジ溝が螺合するネジ穴が形成され、突出部１４ａにはネジ１７が挿通する挿通孔が形成されている。なお、頭部１９の径は、挿通孔（挿通穴としてもよい）４４ａの径よりも大きく形成されている。また、ネジ１７の軸部１８の長さは、軸部１８を蝶番部１５の突出部１２ａ、突出部１４ａ、突出部１２ｂの順に挿通して、突出部１２ａ、１２ｂのネジ穴に螺合させて締め付けた際に、軸部１８の下端と突出部１２ｂの下端とが面一になる長さとなっている。なお、後方視認装置２０−１、２０−２が装着される場合には、ネジ１７の軸部１８の長さは、軸部１８を支持部４０の挿通穴４４ａ、蝶番部１５の突出部１２ａ、突出部１４ａ、突出部１２ｂ、挿通穴４６ａの順に挿通して、突出部１２ａ、１２ｂのネジ穴に螺合させて締め付けた際に、軸部１８の下端と突出板部４６の下端とが面一になる長さとなるのが好ましい。
【００７６】
眼鏡本体１０は、全体に左右対称に形成されている。つまり、前後方向（Ｙ１−Ｙ２方向）かつ上下方向（Ｚ１−Ｚ２方向）の仮想面（平面状の仮想面）を介して対称に形成されている。なお、左右方向（Ｘ１−Ｘ２方向）とは、左側構成部１２−Ａの任意の位置と、右側構成部１２−Ｂにおける該任意の位置に対応する位置とを結んだ方向といえ、例えば、左側構成部１２−Ａの外側の端部の上端部Ｐと右側構成部１２−Ｂの外側の端部の上端部Ｑとを結んだ方向といえる。
【００７７】
鼻当て１００−１、１００−２は、フレーム１２に固定された一対のパッド足１１０と、パッド足１１０のフレーム１２側とは反対側の端部に固定された一対のパッド箱１２０と、パッド箱１２０に螺着された一対のパッドネジ１５０と、パッド箱１２０に挿通された一対のパッド支軸１３０と、パッド支軸１３０の長手方向の一方の端部に設けられた一対のパッド１４０とを有している。
【００７８】
鼻当て１００−１は、フレーム１２の左側構成部１２−Ａの内側に取り付けられ、鼻当て１００−２は、フレーム１２の右側構成部１２−Ｂの内側に取り付けられており、鼻当て１００−１と鼻当て１００−２とは左右対称である以外は同様の構成であるので、鼻当て１００−１を例に取って説明する。この鼻当て１００−１は、パッド支軸１３０をパッド箱１２０に対してスライドさせることにより、頂点間距離（眼鏡のレンズと瞳の間の距離（すなわち、レンズの内側の面と角膜頂点の間の距離））の調整を行なうことができるものである。また、後方を視認するためのミラーを有する場合には、明視距離（ミラーを通して後方をはっきり視認することのできる距離（すなわち、ミラーの反射面と角膜との間の距離））の調整を行なうことができる。さらに、ミラーを収納するための収納ケースを設ける場合には、設置距離（収納ケースと眼（特に、まつ毛）との間の距離）を調節することができるものである。
【００７９】
なお、図４〜図１２の説明において、Ｘ１１側を前側とし、Ｘ１２側を後側とし、Ｚ１１側を下側とし、Ｚ１２側を上側として説明するが、鼻当て１００−１、１００−２を実際にフレーム１２に取り付けた状態では、Ｘ１１側が斜め前側（斜め外側を向いた前側）となり、Ｘ１２側が斜め後側（斜め内側を向いた後側）となり、Ｚ１２側が斜め上側（斜め内側を向いた上側）となり、Ｚ１１側が斜め下側（斜め外側を向いた下側）となる。
【００８０】
鼻当て１００−１は、図４〜図１２に示すように構成され、フレーム１２の左側構成部１２−Ａに固定されたパッド足１１０と、パッド足１１０のフレーム１２側とは反対側の端部に固定されたパッド箱１２０と、パッド箱１２０に螺着されたパッドネジ１５０と、パッド箱１２０に挿通されたパッド支軸１３０と、パッド支軸１３０の長手方向の一方の端部に設けられたパッド１４０とを有している。
【００８１】
ここで、パッド足１１０は、従来の鼻当てにおけるパッド足と同様の構成であり、フレーム１２に溶接等により固定され、棒状部材を湾曲することにより形成されている。湾曲したパッド足１１０のたわみを伸縮させることで、通常の眼鏡と同様に、頂点間距離を調整することができる。
【００８２】
また、パッド箱１２０は、パッド足１１０と溶接等により固定して設けられ、四角枠状を呈している。すなわち、パッド箱１２０は、４つの方形状の板状部材を枠状に形成して構成され、パッド足１１０に固定された第１部材１２０ａと、第１部材１２０ａの相対する辺部から第１部材１２０ａに対して直角に形成された第２部材１２０ｂ及び第３部材１２０ｃと、第２部材１２０ｂ及び第３部材１２０ｃの第１部材１２０ａ側とは反対側の端部間に形成された第４部材１２０ｄとを有し、第１部材１２０ａと第２部材１２０ｂと第３部材１２０ｃと第４部材１２０ｄとはともに同大同形状で方形状の板状を呈し、第１部材１２０ａ〜第４部材１２０ｄにより正方形状の枠を構成している。すなわち、パッド箱１２０の両側の開口部を構成する各辺は同じ長さとなっている。
【００８３】
ここで、パッド箱１２０内には、直方体形状の空間が形成され、該空間の断面は、パッド支軸１３０が挿通可能な大きさに形成されている。つまり、この空間の横断面（正方形状の横断面）の１つの辺部の長さｈ７１は、図６に示すように、パッド支軸１３０の第１規制面１３６ａ（後述）が形成された領域における幅ｈ８１（以下「パッド支軸１３０の幅ｈ８１」とする）よりも大きく形成されている。すなわち、幅ｈ８１は、パッド支軸１３０の軸線方向における第１規制面１３６ａが形成された領域における幅であり、第１規制面１３６ａにおける軸線Ｊと平行な２つの辺部である辺部１３６ａ−１と辺部１３６ａ−２間の長さ（図７参照）である。なお、第１規制面１３６ａは、軸線Ｊに対してずれた位置に形成されているので、パッド支軸１３０の幅ｈ８１は、パッド支軸１３０の径ｈ８６（円柱形状における直径、図６、図１１参照）よりも若干小さく形成されている。
【００８４】
また、第２部材１２０ｂには、パッドネジ１５０を挿通するための挿通穴１２２が形成され、第３部材１２０ｃには、パッドネジ１５０を螺着するためのネジ穴１２４が形成されている。挿通穴１２２は、円形の貫通孔であり、第２部材１２０ｂの中央位置に形成されている。つまり、第２部材１２０ｂにおけるパッド箱１２０の軸線方向（パッド支軸１３０の挿通方向）及び該軸線方向と直角の方向において中央の位置に挿通穴１２２が形成されている。また、ネジ穴１２４は、第３部材１２０ｃの中央位置に形成されている。つまり、第３部材１２０ｃにおけるパッド箱１２０の軸線方向（パッド支軸１３０の挿通方向）及び該軸線方向と直角の方向において中央の位置にネジ穴１２４が形成されている。よって、パッドネジ１５０の軸部１５２から第１部材１２０ａの内側の面までの長さｈ７２と、パッドネジ１５０の軸部１５２から第４部材１２０ｄの内側の面までの長さｈ７３とは同一に形成されている。
【００８５】
このパッド箱１２０の軸線（一方の開口部の中心と他方の開口部の中心を結ぶ直線）の方向は、水平面（水平方向としてもよい）に対して傾斜して設けられ（「ネジ１７の軸線に対する直角平面に対して傾斜して設けられ」としてもよい）、前方かつ外側の斜め上方から後方かつ内側の斜め下方を向いている。なお、水平面（水平方向）とは、Ｘ１−Ｘ２及びＹ１−Ｙ２方向である。
【００８６】
また、パッド支軸１３０は、円柱形状の側面の一方に側面視台形形状の切欠部１３０Ｋを形成した形状を呈し、半球状（略半球状としてもよい）の先端面１３２と、先端面１３２から連設された外周面１３４と、外周面１３４から連設された切欠部形成面１３６と、固定部１４６に接する後端面とを有している。つまり、パッド支軸１３０は、円柱形状の側面の一部を抉った形状となっている。
【００８７】
ここで、外周面１３４は、円柱形状の外周面と同様の構成である。また、切欠部形成面１３６は、パッド支軸１３０の軸線Ｊと平行な方形状の平面状の第１規制面１３６ａと、第１規制面１３６ａから先端側に連設され、パッド支軸１３０の軸線Ｊに対して傾斜して形成された第２規制面１３６ｂと、第１規制面１３６ａから第２規制面１３６ｂとは反対側に連設され、パッド支軸１３０の軸線Ｊに対して傾斜して形成された第３規制面１３６ｃとを有している。なお、第２規制面１３６ｂと第３規制面１３６ｃとは、ともに、楕円弧と直線とにより囲まれた形状を呈し、第２規制面１３６ｂと第３規制面１３６ｃとは、ともに斜め上向きに互いに対向した状態となっていて、第２規制面１３６ｂと第３規制面１３６ｃとは、ともに、平面視において（図７参照）、軸線Ｊを中心に対称に形成され、第２規制面１３６ｂと第１規制面１３６ａ間の辺部１３７ａと、第３規制面１３６ｃと第１規制面１３６ａ間の辺部１３７ｂとは、互いに平行で、軸線Ｊに対して直角方向となっている。これにより、第２規制面１３６ｂや第３規制面１３６ｃがパッドネジ１５０の軸部１５２に接する際には、第２規制面１３６ｂや第３規制面１３６ｃは、軸部１５２に軸部１５２の軸線方向に均等に接することになる。なお、第２規制面１３６ｂと第１規制面１３６ａとがなす角度α２と第３規制面１３６ｃと第１規制面１３６ａとがなす角度α３は、ともに鈍角であり、角度α２と角度α３は同一に形成されている。
【００８８】
なお、パッド支軸１３０の軸線Ｊとパッド箱１２０の軸線とは、平行をなすが、図６に示すように、パッド支軸１３０はパッド箱１２０内で若干偏心した位置にあるので、若干ずれた位置にあるといえる。なお、図６では、パッド本体１４２と押え部１４４は省略して描いている。
【００８９】
また、パッド支軸１３０の第１規制面１３６ａ形成部分は、パッドネジ１５０を螺着した状態のパッド箱１２０に挿通可能に形成され、第１規制面１３６ａに垂直方向（Ｚ１１−Ｚ１２方向）の厚み、すなわち、第１規制面１３６ａとパッド支軸１３０の底部間の長さｈ８２は、パッドネジ１５０の軸部１５２から第４部材１２０ｄの内側の面までの長さｈ７３よりも小さく形成されている（ｈ８２＜ｈ７３）。つまり、パッド支軸１３０をパッドネジ１５０を螺着した状態のパッド箱１２０に取り付け、パッド支軸１３０の底部側の外周部が第４部材１２０ｄに接した状態では、パッド支軸１３０の第１規制面１３６ａとパッドネジ１５０の軸部１５２間には間隔ｈ８４が形成されている。なお、第１規制面１３６ａは、軸線Ｊに対してパッド支軸１３０の底部側にずれた位置に形成されていて、長さｈ８２は、パッド支軸１３０の径ｈ８６の半分の長さ（つまり、ｈ８６／２）よりも小さく形成されている。
【００９０】
また、第１規制面１３６ａの軸線Ｊ方向の長さｈ８３は、パッド箱１２０の軸線方向の長さｈ７４よりも長く形成され（ｈ８３＞ｈ７４）、これにより、パッド支軸１３０のスライド長が長く確保されている。
【００９１】
また、パッド支軸１３０における後端面（固定部１４６に接する面）は、軸線Ｊ方向に直角の平面状を呈している。
【００９２】
このパッド支軸１３０は、水平面に対して傾斜して設けられている。すなわち、パッド箱１２０の軸線方向が水平面（水平方向としてもよい）に対して傾斜して設けられているので、パッド支軸１３０の軸線も、水平面に対して傾斜して設けられている。
【００９３】
このパッド支軸１３０はステンレスにより形成されている。パッド支軸１３０を金属製とすることにより、パッド支軸１３０にパッド１４０が固定された状態においても、重心をパッド支軸１３０側に保つことができ、パッド支軸１３０が傾斜して設けられたパッド箱１２０の内側の面をスライドするときに、パッド支軸１３０の先端面１３２が浮き上がることなく、円滑にスライドすることが可能となる。
【００９４】
なお、パッド支軸１３０の幅ｈ８１がパッド箱１２０内の空間の横断面の１つの辺部の長さｈ７１よりも小さく形成され（ｈ８１＜ｈ７１）、また、第１規制面１３６ａとパッド支軸１３０の底部間の長さｈ８２は、パッドネジ１５０の軸部１５２から第４部材１２０ｄの内側の面までの長さｈ７３よりも小さく形成されている（ｈ８２＜ｈ７３）ので、パッド支軸１３０は、パッド箱１２０内を円滑にスライドすることが可能となる。また、パッド支軸１３０の外周面は円柱形状の外周面を呈するので、パッド箱１２０との接触面積を小さくでき、これによってもパッド支軸１３０をパッド箱１２０に対して円滑にスライドさせることができる。また、パッド箱１２０は軸線方向に所定の長さを有し、パッド支軸１３０（特に、第１規制面１３６ａに対応した部分）とパッド箱１２０の内側の面の間の隙間ｈ７５、ｈ７６やパッド支軸１３０とパッドネジ１５０の間の隙間ｈ８４もわずかに形成されているので、パッド支軸１３０はパッド箱１２０に対して大きく回転することがなく、その点でも、パッド支軸１３０をパッド箱１２０に対して円滑にスライドさせることができる。また、隙間ｈ８４が短い（つまり、長さｈ７３から長さｈ８２を減じた値が小さい）ので、パッド支軸１３０がその軸線を中心に回転する量をわずかとすることができる。つまり、パッド支軸１３０がその軸線を中心として回転してしまうと、パッド支軸１３０の基端側に固定されたパッド１４０も回転してしまうので、パッド支軸１３０に形成された第１規制面１３６ａがパッドネジ１５０の軸部１５２に接することで、パッド１４０の軸線Ｊを中心とした回転が規制されている。また、パッド支軸１３０とパッド箱１２０の内側の面との隙間ｈ７５、ｈ７６が左右方向（Ｙ１１・Ｙ１２方向）の遊びとなり、また、パッド支軸１３０とパッドネジ１５０の間の隙間ｈ８４が上下方向（Ｚ１１・Ｚ１２方向）の遊びとなることで、パッド１４０が鼻Ｎに接するときに鼻Ｎの傾斜面（接触面）を捉えやすくなるとともに、パッド箱１２０内において、パッド支軸１３０がパッドネジ１５０の軸線を中心に回転することができ、パッド支軸１３０をロックすることができる。
【００９５】
また、パッド支軸１３０の径ｈ８６は、パッドネジ１５０の軸部１５２から第４部材１２０ｄの内側の面までの長さｈ７３よりも大きく（ｈ８６＞ｈ７３）、径ｈ８６と長さｈ７３の差が大きいので、パッド支軸１３０がスライドしても第２規制面１３６ｂや第３規制面１３６ｃが軸部１５２に接して、パッド支軸１３０がパッド箱１２０から脱落することがない。
【００９６】
また、パッド１４０は、パッド本体１４２と、パッド本体１４２の前側（Ｘ１１側）に固定された押え部１４４と、パッド支軸１３０の後端面に固定されるとともに、パッド本体１４２と押え部１４４とにより挟設された固定部１４６とを有している。
【００９７】
ここで、パッド本体１４２は、鼻当て１００−１の使用時において使用者の鼻に接する部材であり、縦長の台形形状の板状を呈し、一方の面（前側の面）に固定部１４６を配置するための凹部１４２ａが設けられている。パッド１４０を組み立てた状態では、凹部１４２ａには、固定部１４６の後側（Ｘ１２側）の略半分が収納される。
【００９８】
また、押え部１４４は、パッド本体１４２と同様に縦長の台形形状の板状を呈し、パッド本体１４２と同大同形状の輪郭を有する板状を呈し、後側の面に固定部１４６を配置するための凹部１４４ａが設けられている。また、凹部１４４ａの略中央位置には、パッド支軸１３０を挿通するための円形の挿通孔１４４ｂが形成されている。これにより、パッド１４０を組み立てた状態では、挿通孔１４４ｂにパッド支軸１３０が挿通されるとともに、凹部１４４ａには、固定部１４６の前側（Ｘ１１側）の略半分が収納された状態で、押え部１４４の後側の面が、パッド本体１４２の前側の面に接着等により固定されている。
【００９９】
このパッド本体１４２と押え部１４４とは、合成樹脂材（好適には、透明又は半透明な合成樹脂材）により形成されている。
【０１００】
また、パッドネジ１５０は、軸部１５２と、軸部１５２の基端に設けられた頭部１５４とを有し、軸部１５２は円柱形状を呈し、その先端部分の外周にはネジ穴１２４に螺合するためのネジ溝１５２ａが形成されている。なお、軸部１５２の先端部分以外はネジ溝は形成されていない。つまり、パッド支軸１３０の第１規制面１３６ａが接する箇所にはネジ溝が形成されておらず、これにより、パッド支軸１３０がパッド箱１２０内を円滑にスライドすることができる。また、頭部１５４の径は、挿通穴１２２の径よりも大きく形成されている。
【０１０１】
鼻当て１００−１を組み立てた状態では、パッド支軸１３０にパッド１４０が固定され、パッド支軸１３０がパッド箱１２０に挿通した状態で、パッドネジ１５０が、パッド箱１２０の挿通穴１２２に挿通されるとともに、ネジ穴１２４に螺着される。これにより、パッド支軸１３０がパッド箱１２０内をスライド可能に形成される。また、組み立て方は通常の鼻当てと同じ方法であるので、パッド支軸１３０は、パッド支軸の側面にパッドネジ１５０の挿通孔を有する市販のパッドに付け替えることができる。
【０１０２】
鼻当て１００−１がフレーム１２に取り付けられた状態では、パッド支軸１３０の水平面に対する角度は約２０度程度としておくのが好ましい。すなわち、図８に示すように、パッド支軸１３０の軸線Ｊと水平面Ｓのなす角度α４をパッド支軸１３０がパッド箱１２０内をスライドする角度よりも若干小さくしておく。例えば、パッド支軸１３０がパッド箱１２０内をスライドする角度が２０度を超えた角度である場合には、角度α４を２０度としておく。よって、手で眼鏡５のフレーム１２を前方上向きに持ち上げる動作をすることにより、パッド支軸１３０の軸線Ｊが水平面となす角度が２０度よりも大きくなり、パッド支軸１３０がパッド箱１２０内を斜め下方にスライドして、パッド１４０が斜め下方にスライドする。
【０１０３】
また、図９に示すように、第２規制面１３６ｂがパッドネジ１５０に接して、パッド１４０が下端に位置する状態（図９（ａ）参照）で、パッド支軸１３０をパッドネジ１５０の軸線に沿った回転軸を中心に回転させることにより、パッド支軸１３０の軸線とパッド箱１２０の軸線が平行にならず、パッド支軸１３０が第４部材１２０ｄの内側の角部（第４部材１２０ｄの内側のパッド支軸１３０の先端側の角部）１２０ｄ−１とパッドネジ１５０間に挟まれてロックされた状態となり（図９（ｂ）参照）、パッド支軸１３０はパッド箱１２０に対して容易にはスライドしないようになる。つまり、パッド支軸１３０の第２規制面１３６ｂがパッドネジ１５０に接した状態で、パッド支軸１３０のパッド側の端部をパッドネジに沿った軸線を中心にパッド箱に対して上方に回転させることにより、パッド支軸１３０がパッドネジ１５０と第４部材１２０ｄのパッド支軸の先端側の内側の角部間に挟まりロックされた状態となる。
【０１０４】
また、第２規制面１３６ｂがパッドネジ１５０に接して、パッド支軸１３０がパッドネジ１５０の軸線に沿った回転軸を中心に回転して、第４部材１２０ｄの内側の角部１２０ｄ−１とパッドネジ１５０間に挟まれてロックされた状態（つまり、パッド支軸１３０の第２規制面１３６ｂがパッドネジ１５０に接した状態で、パッド支軸１３０のパッド側の端部をパッドネジに沿った軸線を中心にパッド箱に対して上方に回転させることにより、パッド支軸１３０がパッドネジ１５０と第４部材１２０ｄのパッド支軸の先端側の内側の角部間に挟まりロックされた状態）においても、第３規制面１３６ｃがパッドネジ１５０に接して、パッド支軸１３０がパッドネジ１５０の軸線に沿った回転軸を中心に回転して、第４部材１２０ｄの内側の角部１２０ｄ−１とパッドネジ１５０間に挟まれてロックされた状態（つまり、パッド支軸１３０の第３規制面１３６ｃがパッドネジ１５０に接した状態で、パッド支軸１３０のパッド側の端部をパッドネジに沿った軸線を中心にパッド箱に対して上方に回転させることにより、パッド支軸１３０がパッドネジ１５０と第４部材１２０ｄのパッド支軸の先端側の内側の角部間に挟まりロックされた状態）においても、ともに、パッド支軸１３０の軸線Ｊと水平面Ｓに対して傾斜して設けられたパッド箱１２０の第４部材１２０ｄの内側の傾斜面とのなす角度α１は同一であるので（図９及び図１０参照）、頂点間距離を長くしても、眼鏡本体１０に装着されたレンズ１６−１、１６−２におけるアイポイント（光学中心としてもよい）の位置と装用者の瞳孔中心の位置がずれないようになる。
【０１０５】
なお、パッド支軸１３０の他の構成として、図１１に示すように、パッド支軸１３０の先端に磁石部１３８を設けて、磁性を帯びた第２規制面１３６ｂと鉄製のパッドネジ１５０とが吸着する構成としてもよい。つまり、図１１の場合のパッド支軸１３０は、パッド支軸本体１３１と、磁石部１３８とを有し、磁石部１３８は、図５の例におけるパッド支軸１３０の第２規制面１３６ｂの先端側の端部位置から先端側の形状を有しており、パッド支軸本体１３１は、図５の例におけるパッド支軸１３０を第２規制面の先端側の位置で切断した形状を有している。つまり、パッド支軸本体１３１と磁石部１３８の境界面は、パッド支軸１３０の軸線と直角をなしている。なお、磁石部１３８における磁極の配置は任意であるが、例えば、パッド支軸１３０の軸線方向の一方の側をＮ極とし、他方の側をＳ極とする。以上のようにして、磁石部１３８の形状は、先端面１３２及び外周面１３４と同一の形状に形成されている。磁石部１３８の固定方法は、ボンド接着等により固定される。パッド支軸１３０の先端に固定された磁石部１３８の磁界が鉄製のパッドネジ１５０に及ぶことにより、磁石部１３８にパッドネジ１５０が吸引されて、第２規制面１３６ｂとパッドネジ１５０とが吸着する。なお、この場合のパッド支軸本体１３１の第２規制面１３６ｂは、磁石により吸引する材料である磁性体（例えば、鉄）で形成するのが好ましいが、磁石部１３８の磁力が強い場合には、該磁性体により形成しなくてもよい。なお、パッド支軸本体１３１の第２規制面１３６ｂを鉄等の磁石が吸引する材料である磁性体により形成する（例えば、第２規制面１３６ｂの形状の鉄製の板状部を第２規制面１３６ｂに貼り付ける）ことにより、第２規制面１３６ｂが磁性を帯びることにより、第２規制面１３６ｂとパッドネジ１５０の吸引を強めることができる。また、磁石部１３８の他の固定方法として、磁石部１３８の先端面からパッド支軸本体１３１の第２規制面を含む外周面を塩化ビニール等のコーティング材でコーティングしてもよい。これにより、磁石部１３８の固定が強化されるとともに、先端面がビニールコーティングされることにより、先端面がレンズ１６−１、１６−２に接触したときに、レンズ面を保護することができる。なお、この場合、バッド支軸本体１３１のスライドに支障が出ないように、パッド支軸本体１３１の先端側の被膜形成部分の外周面を削った状態として、パッド支軸本体１３１の径ｈ８６（円柱形状の周面における直径）を均一に造形して、パッド支軸本体１３１の外周面に段差がないようにする（つまり、コーティングされた部分とコーティングされていない部分に段差がないようにする）。なお、当然、磁石部１３８におけるコーティングの表面とパッド支軸本体１３１におけるコーティングの表面の境界についても段差がないようにする。
【０１０６】
このように、磁石部１３８を設けることにより、第２規制面１３６ｂがパッドネジ１５０に接して、パッド支軸１３０がパッドネジ１５０の軸線に沿った回転軸を中心に回転して、第４部材１２０ｄの内側の角部１２０ｄ−１とパッドネジ１５０間に挟まれてロックされるときに、パッド１４０が鼻Ｎに接した反動で、パッド支軸１３０がパッド箱１２０内を前側（Ｘ１１側）に押し戻されるのを防ぐことができる。
【０１０７】
なお、磁石部１３８の代わりに、円柱状の磁石部と、該磁石部の先端に設けられた略半球状のコーティング材とにより形成してもよい。つまり、パッド支軸本体１３１の先端に円柱状の磁石部が接着等により固定され、該磁石部の先端（つまり、磁石部のパッド支軸本体１３１と反対側）に略半球状のコーティング材が設けられている。このように、円柱状の磁石部と略半球状のコーティング材とにより磁石部１３８の形状に形成するので、磁石部１３８の先端面１３２を半球状に造形する必要がない。なお、該略半球状のコーティング材の代わりに、略半球状の合成樹脂を円柱状の磁石部の先端に接着等により固定し、磁石部と合成樹脂とをコーティング材によりコーティングする構成としてもよい。この場合も、磁石部におけるコーティング材の表面と合成樹脂におけるコーティング材の表面の境界に段差がないようにする。
【０１０８】
なお、パッドネジ１５０を構成する磁性体（磁石が吸引する材料である磁性体）として鉄製としたが、鉄以外の磁性体としてもよい。また、パッドネジ１５０の軸部１５２の先端部分以外の領域にネジ溝を形成せず、軸部１５２における第２規制面１３６ｂが接する領域にはネジ溝を形成しない構成とすることで、第２規制面１３６ｂとの接触面積を広げ吸着力を強めることができるが、磁石部１３８の磁力が強い場合には、パッドネジ１５０の軸部１５２にネジ溝が形成された（すなわち、軸部１５２の先端部分以外の領域にもネジ溝が形成された）磁性を有する市販のパッドネジを使用してもよい。
【０１０９】
さらに、パッドネジ１５０の他の構成として、パッドネジ１５０が磁力を有する構成としてもよい。すなわち、パッドネジ１５０が磁力を有し、軸部１５２と、軸部１５２の基端に設けられた頭部１５４とを有し、軸部１５２は円柱形状を呈し、その先端部分の外周にはネジ穴１２４に螺合するためのネジ溝１５２ａが形成され、パッド支軸１３０の第１規制面１３６ａが接する箇所にはネジ溝が形成されていない。よって、パッドネジ１５０が円柱状の周面の形状を呈するので、パッド支軸１３０がパッド箱１２０内を円滑にスライドすることができるとともに、パッド支軸１３０が磁石部１３８を有し、磁気を帯びた第２規制面１３６ｂと磁力を有するパッドネジ１５０とが吸着し合うことで吸着力を強めることができる。よって、第２規制面１３６ｂがパッドネジ１５０に接して、頂点間距離を長くした状態でパッド支軸１３０がロックされるときに、パッド１４０が鼻Ｎに接した反動で、パッド支軸１３０がパッド箱１２０内を前側（Ｘ１１側）に押し戻されるのを防ぐことができる。
【０１１０】
パッドネジ１５０が磁力を有する構成における第１の構成としては、軸部１５２が磁石により構成され、図１２（ａ）に示すように、軸部１５２において、先端側の半分をＮ極とし基端側の半分をＳ極として、軸部１５２の厚み方向（長さ方向）に磁力線が形成される構成となっていて、磁石部１３８においては、パッド支軸１３０の先端側をＮ極とし基端側をＳ極とする。図１２（ａ）の構成においては、磁石部１３８のＳ極が軸部１５２のＮ極に吸着することになる。なお、磁石部１３８のＳ極が軸部１５２のＮ極に吸着するので、磁石部１３８のＳ極が軸部１５２のＮ極に吸着した状態では、パッド支軸１３０の軸線は、吸着する前のパッド支軸１３０の軸線に対して、軸部１５２の先端側（Ｙ１２側）にずれた状態となる。
【０１１１】
また、パッドネジ１５０が磁力を有する構成における第２の構成としては、軸部１５２が磁石により構成され、図１２（ｂ）に示すように、軸部１５２において、軸部１５２の軸線を通る平面を介した一方をＮ極とし他方をＳ極として、軸部１５２の径方向に磁力線が形成される構成となっていて、磁石部１３８においては、パッド支軸１３０の先端側がＮ極で基端側がＳ極とする。そして、パッドネジ１５０をパッド箱１２０に取り付けた状態においては、軸部１５２のＮ極が磁石部１３８側となるようにする。このように構成することにより、磁石部１３８が軸部１５２に吸着することになる。なお、磁石部１３８において、パッド支軸１３０の先端側をＳ極とし基端側をＮ極としてもよく、その場合には、軸部１５２のＳ極が磁石部１３８側となるようにする。なお、図１２（ａ）、（ｂ）においては、理解を容易とするためにパッド箱１２０を省略した状態で描いている。
【０１１２】
また、鼻当て１００−２は、鼻当て１００−１と左右対称である以外は同様の構成であるので、詳しい説明を省略する。
【０１１３】
次に、上記構成の鼻当て１００−１、１００−２の使用方法について説明する。上記構成の鼻当て１００−１、１００−２が装着された眼鏡５の使用に際して、眼鏡５を顔に装着する場合には、通常の眼鏡の使用状態と同様に、テンプル１４−１、１４−２を耳に掛けて使用する。
【０１１４】
その際、パッド１４０は、パッド箱１２０に対して最も後側にある状態（この状態を「初期状態」とする）としておき、テンプル１４−１、１４−２を耳に掛けて、レンズ１６−１、１６−２を通して見やすい位置（つまり、レンズのアイポイント（光学中心）Ｏと装用者の瞳孔中心Ｒとが一致する位置）で、鼻当て１００−１、１００−２を鼻に接するようにする。その後、眼鏡５を後側に押し込むことにより、（パッド支軸１３０の先端に設けられた磁石部１３８と鉄製のパッドネジ１５０、又は、磁力を帯びたパッドネジ１５０とが吸着する場合には、その吸着力に抗して）、パッド支軸１３０がパッド箱１２０に対してスライドし、パッド１４０が前側に押されて、パッド支軸１３０の先端（パッド１４０側とは反対側の端部）のパッド箱１２０からの突出長さが徐々に長くなり、一対のパッド１４０間の幅が徐々に広がり、図１０（ａ）に示すように、第３規制面１３６ｃがパッドネジ１５０に接して、テンプル１４−１、１４−２から手を放すと、パッド支軸１３０がパッドネジ１５０の軸線に沿った回転軸を中心に回転して、図１０（ｂ）に示すように、パッド支軸１３０が第４部材１２０ｄの内側の（パッド支軸１３０の基端側の）角部１２０ｄ−２とパッドネジ１５０間に挟まれてパッド箱１２０にロックされ、パッド１４０がパッド箱１２０に対して上端位置にある状態となる。なお、眼鏡５を後側に押し込む際に、フレーム１２を下方に移動させると、パッド支軸１３０がパッドネジ１５０の軸線に沿った回転軸を中心に回転して、図９（ｂ）のようにパッド支軸１３０がロックされた状態となり、パッド支軸１３０がパッド箱１２０に対してスライドしづらくなるので、眼鏡５を水平方向に後側に押し込むのが好ましい。このように、パッド１４０が上端位置にある場合（第３規制面１３６ｃがパッドネジ１５０に接する状態）を「通常使用状態（第１使用状態）」とする。つまり、この通常使用状態では、眼鏡を装着することにより、パッド支軸１３０がパッド箱１２０に対して斜め上方にスライドして、パッド１４０が鼻に接している状態で、第２規制面１３６ｂがパッドネジ１５０から離れた状態となっている。矯正度数の入ったレンズ１６−１、１６−２に固有の頂点間距離を適正化する場合には、まず、この通常使用状態（第１使用状態）の位置において、レンズ１６−１、１６−２の裏面から瞳（角膜）の頂点までの間隔、すなわち、頂点間距離が１２ミリの間隔となるようにフィッティングさせておく。つまり、通常の鼻当てのフィッティング（位置合わせ）と同様に、パッド足１１０を伸縮させて頂点間距離を１２ミリの間隔に合わせる（仮の調整）。
【０１１５】
次に、通常使用状態からテンプル１４−１、１４−２を耳に掛けた状態で、フレーム１２を手で前方上向きに持ち上げることにより、パッド支軸１３０が水平方向に対して２０度を超えて傾斜し、さらに、パッド１４０は鼻の表面から離れた状態となるので、パッド支軸１３０がパッド箱１２０に対して斜め下方（Ｘ１２側）にスライドし、これにより、パッド１４０が斜め下方（Ｘ１２側）にスライドし（滑落としてもよい）、第２規制面１３６ｂがパッドネジ１５０に接した状態、つまり、初期状態に戻る。（パッド支軸１３０の先端に磁石部１３８が設けられ、鉄製のパッドネジ１５０、又は、磁力を有するパッドネジ１５０と吸着し合う場合には、磁気を帯びた第２規制面１３６ｂと軸部１５２とが接し、吸着した状態に戻る。）。このとき、パッド１４０が下端に位置した状態で、フレーム１２を持ち上げていた手を離してフレーム１２を落下させることにより、パッド１４０は鼻に接するが、フレーム１２が落下することにより、パッド１４０も落下しながら鼻に接することから、パッド１４０にはパッド１４０に沿って斜め上方に力が加えられ、パッド支軸１３０がパッドネジ１５０の軸線に沿った回転軸を中心に回転して、図９（ｂ）に示すように、パッド支軸１３０が第４部材１２０ｄの内側の（パッド支軸１３０の先端側の）角部１２０ｄ−１とパッドネジ１５０間に挟まれてパッド箱１２０にロックされた状態となり、パッド１４０はその状態で鼻Ｎに接することになる。この状態を第２使用状態とする。この第２使用状態では、一対のパッド支軸１３０がパッド箱１２０から斜め下方（Ｘ１２側）に最も長くスライドした状態となるので、一対のパッド１４０間の幅が通常使用状態の場合と比べて狭くなって、一対のパッド１４０の鼻Ｎへの着床位置が前側（Ｙ１側）にずれるので、フレーム１２は通常使用状態に比べて前側（Ｙ１側）に位置し、通常使用状態に比べて頂点間距離が長くなった状態となる。
【０１１６】
なお、パッド支軸１３０がパッド箱１２０内でロックされるとき、パッド支軸１３０の回転角度（すなわち、パッド支軸１３０の軸線Ｊと第４部材１２０ｄの内側の傾斜面とのなす角度）α１は、第１規制面１３６ａの高さｈ８２が、辺部１３７ｂと辺部１３７ａとの間において均一であり、パッド支軸１３０がパッドネジ１５０に常に同じ高さｈ７３で接するので、第１使用状態においても、第２使用状態においても同一である。つまり、図９（ｂ）のα１と図１０（ｂ）のα１は同一である。よって、頂点間距離を長くしてもフレーム１２の前傾角度が変わらないので、レンズ１６−１、１６−２のアイポイント（光学中心）Ｏと装用者の瞳孔中心Ｒの位置がずれない。したがって、レンズ１６−１、１６−２が矯正度数の入ったレンズである場合には、第１使用状態（仮調整した１２ミリの間隔）、あるいは、頂点間距離を長くした第２使用状態の間隔において、レンズ１６−１、１６−２を通して網膜に映り込む像の見やすさを比較対象とすることができ、眼鏡５を装着することにより、レンズ１６−１、１６−２に固有の頂点間距離を装用者自らが確認することができる（図６、図７、図９（ｂ）参照）。
【０１１７】
レンズ１６−１、１６−２を通して見やすさを確認後、頂点間距離を適正化する方法は、１２ミリの間隔で仮調整された第１使用状態の方が見やすい場合には、そのままの状態（つまり、第１使用状態の間隔）で、該鼻当て１００−１、１００−２に装着されたパッド支軸１３０をパッド箱１２０から取り外し、パッド支軸にパッドネジ１５０の挿通孔を有する市販のパッドに付け替えればよい。ただし、この場合には、レンズの裏面と眼の間にほとんど間隔がないので、後述する後方視認装置を設けるのは困難となる。頂点間距離は１２ミリの間隔で適正化される（本調整）。これに対して、頂点間距離を長くした第２使用状態の方が見やすい場合には、パッド足１１０を伸ばすことにより頂点間距離を長くした状態（つまり、第２使用状態の間隔）にして、パッド箱１２０からパッド支軸１３０を取り外し、パッド支軸にパッドネジ１５０の挿通孔を有する市販のパッドに付け替えればよい。後者は、眼鏡本体１０に装着されたレンズ１６−１、１６−２が固有の頂点間距離をとる場合であり、頂点間距離を長くした状態（つまり、第２使用状態の間隔）で適正化することができる（本調整）。頂点間距離が適正化されると、カメラでピントを合わせるように、くっきりとした状態で網膜に像を映しこむことができる。
【０１１８】
次に、上記構成の鼻当て１００−１、１００−２が装着された眼鏡５を使用すれば、頂点間距離が適正化された第１使用状態（通常、１２ミリの間隔）から頂点間距離を長くした第２使用状態とすることができるので、後方を視認するためのミラー（本実施例においては、ミラーユニット６０が有するミラー７４）を眼鏡本体１０に設ける場合には、ミラーと瞳（角膜）との間隔、すなわち、明視距離を調節することができる。すなわち、通常、頂点間距離が１２ミリの間隔で適正化された場合、レンズの裏面と眼（特に、まつ毛）との間にはほとんど隙間がない状態であり、特に、眼鏡枠の内側（Ｙ２側）にミラーを設けるケースでは、ミラーと瞳（角膜）との間隔が近接し過ぎるので、ミラーを通して後方を視認しづらくなる。そこで、上記構成の鼻当て１００−１、１００−２（特に、パッド支軸１３０）を使用すれば、眼鏡本体１０に装着される矯正度数の入ったレンズ１６−１、１６−２に対応して頂点間距離を適正化しつつ、かつ、ミラーと瞳（角膜）との間隔、すなわち、明視距離を調節することができるので、ミラーを通して後方を視認しやすくすることができる。よって、矯正度数の入ったレンズ１６−１、１６−２が装着される眼鏡５に、後方を視認するための機能を付加することができる。
【０１１９】
そこで、次に、矯正度数の入ったレンズ１６−１、１６−２が装着された眼鏡本体１０に後方を視認するためのミラー（本実施例では、ミラー７４）を設ける場合に、頂点間距離を適正化しつつ、かつ、ミラーと瞳（角膜）との間隔、すなわち、明視距離を調節するための眼鏡５の使用方法について説明する。なお、本実施例におけるミラー７４についての詳しい解説は、後述する。
【０１２０】
眼鏡本体１０がフレーム１２の内側にミラー（以下、ミラー７４を例に説明する。）を有し、上述の方法により、レンズ１６・１、１６・２と瞳（角膜）の頂点との間隔、すなわち、頂点間距離が１２ミリの間隔で適正化された場合には、眼鏡本体１０が鼻当て１００−１、１００−２（特に、パッド支軸１３０）を有した状態で使用する。眼鏡５を顔に装着する場合には、通常の眼鏡と同様に、テンプル１４−１、１４−２を耳に掛けて使用する。パッド１４０が、パッド箱１２０に対して最も後側にある状態（初期状態）から、テンプル１４−１、１４−２を耳に掛けて、レンズ１６−１、１６−２を通して見やすい位置で鼻当て１００−１、１００−２が鼻に接するようにする。その後、眼鏡５を後側に押し込むことにより、パッド支軸１３０がパッド箱１２０に対してスライドし、パッド１４０が前側に押されて、パッド支軸１３０の先端のパッド箱１２０からの突出長さが徐々に長くなり、一対のパッド１４０間の幅が徐々に広がり、第３規制面１３６ｃがパッドネジ１５０に接して、パッド支軸１３０がパッドネジ１５０の軸線に沿った回転軸を中心に回転してロックされ、パッド１４０がパッド箱１２０に対して上端位置にある通常使用状態（第１使用状態）となる。レンズ１６−１、１６−２と瞳（角膜）の頂点との間隔、すなわち、頂点間距離は１２ミリの間隔である。この状態では、ミラー７４と瞳（角膜）との間隔、すなわち、明視距離が近接し過ぎるので、ミラーを通して後方を視認しづらくなる。そこで、後方を見やすくするためには、通常使用状態（第１使用状態）からテンプル１４−１、１４−２を耳に掛けた状態で、フレーム１２を手で前方上向きに持ち上げることにより、パッド支軸１３０が水平方向に対して２０度を超えて傾斜し、さらに、パッド１４０は鼻の表面から離れた状態となるので、パッド支軸１３０がパッド箱１２０に対して斜め下方（Ｘ１２側）にスライドし、これにより、パッド１４０が斜め下方（Ｘ１２側）にスライドし、第２規制面１３６ｂがパッドネジ１５０に接した状態、つまり、初期状態に戻し、パッド１４０が下端に位置した状態で、フレーム１２を持ち上げていた手を離してフレーム１２を落下させることにより、パッド１４０は鼻に接するが、フレーム１２が落下することにより、パッド１４０も落下しながら鼻に接することから、パッド１４０にはパッド１４０に沿って斜め上方に力が加えられ、パッド支軸１３０がパッドネジ１５０の軸線に沿った回転軸を中心に回転して、パッド支軸１３０が第４部材１２０ｄの内側のパッド支軸１３０の先端側の角部１２０ｄ−１とパッドネジ１５０間に挟まれてパッド箱１２０にロックされた状態、すなわち、第２使用状態となる。この状態では、ミラー７４と瞳（角膜）との間隔、すなわち、明視距離が長くなった状態であるので、後方を視認しやすくなっている。（なお、上記説明では、磁石部１３８（磁気を帯びた第２規制面１３６ｂ）と鉄製のパッドネジ１５０、又は磁力を有するパッドネジ１５０とが吸着する解説は省略して書いている。）なお、ミラー７４と瞳（角膜）との間隔、すなわち、明視距離を前側（Ｙ１側）に長くするとミラー７４を通して後方が視認しやすくなる理由は、眼の回旋角度を考慮すると理解しやすい。すなわち、図１４、図１６に示すように、レンズ１６−１、１６−２のアイポイント（光学中心）Ｏから眼（瞳）を回旋させてミラー７４を覗き込む場合、一般に、物（物体）は視角の影響を受けて前側にあるほど中央寄りに小さく見えるので、レンズ１６−１、１６−２のアイポイント（光学中心）Ｏからミラー７４までの距離（すなわち、回旋距離）ｈ８５は、見かけ上、フレーム１２を前側に出すほど中央ブリッジ部１２−Ｃ寄りに縮んで見える。よって、眼の回旋角度、すなわち、眼の回旋中心（瞳孔中心としてもよい）Ｒとレンズ１６−１、１６−２のアイポイント（光学中心）Ｏとを通過する直線（Ｙ１−Ｙ２方向）と、眼の回旋中心（瞳孔中心）Ｒとミラー７４とを結ぶ直線（ミラー７４を覗き込む方向）とのなす角度α６を小さくすることができる。よって、ミラー７４と瞳（角膜）との間隔、すなわち、明視距離を長くすれば、視角の影響を受け、見かけ上、回旋距離ｈ８５が縮んで見える結果、ミラー７４を覗き込む眼（瞳）の回旋角度α６も小さくなり、少ない眼の回旋で後方を視認することができるので、ミラー７４を通して後方を見やすくすることができる。
【０１２１】
したがって、レンズ１６−１、１６−２の裏面から瞳（角膜）の頂点までの間隔、すなわち、頂点間距離が１２ミリの間隔で適正化された場合には、眼鏡５を通常の眼鏡として使用する場合には、頂点間距離が適正化された第１使用状態の間隔で使用し、特に、後方を注視したい場合には、ミラー７４と瞳（角膜）との間隔、すなわち、明視距離を長くした状態、すなわち、第２使用状態の間隔で使用し、ミラーを通して後方を視認しやすくする方法で使い分ければよい。
【０１２２】
また、上述の方法により、レンズ１６・１、１６・２の裏面から瞳（角膜）の頂点までの間隔、すなわち、頂点間距離を長くした状態で適正化される場合には、大変、都合がよい。すでに、ミラー７４と瞳（角膜）との間隔、すなわち、明視距離も長くなっている状態だからである。したがって、パッド足１１０を伸ばすことにより頂点間距離を長くした状態（すなわち、第２使用状態の間隔）に合わせて、パッド箱１２０からパッド支軸１３０を取り外し、パッド支軸にパッドネジ１５０の挿通孔を有する市販のパッドに付け替えればよい。眼鏡５に装着されたレンズ１６−１、１６−２に固有の頂点間距離が、第２使用状態の間隔で適正化されるとともに、ミラー７４と瞳（角膜）との間隔、すなわち、明視距離も長くすることができるので、ミラー７４を通して後方を視認しやすくすることができる。以上の方法により、眼鏡本体１０に装着された矯正度数の入ったレンズ１６−１、１６−２に対応して、頂点間距離を適正化しつつ、かつ、後方を視認するためのミラー７４をフレーム１２の内側に設けることができ、眼鏡５に後方視認機能を付加することができる。
【０１２３】
さらに、眼鏡本体１０にミラーを収納するための収納ケース（以下、後方視認装置２０・１、２０・２における収納部３０）を設ける場合には、上記構成の鼻当て１００−１、１００−２（特に、パッド支軸１３０）を使用することで、収納ケースと眼との間隔、すなわち、設置距離を調節することができる。すなわち、ミラーの未使用時にはミラーによる光の乱反射を抑え、また、ミラーの使用時には即座に機動する（つまり、後方を視認可能とする）ことができるように、ミラーを収納するための収納ケースを設ける場合には、レンズ１６−１、１６−２の裏面から瞳（角膜）の頂点までの間隔、すなわち、頂点間距離が適正化された第１使用状態（通常、１２ミリの間隔）から、収納ケースと眼（特に、まつ毛）との間隔、すなわち、設置距離を長くした第２使用状態とすることができるので、矯正度数の入ったレンズ１６−１、１６−２に対応して頂点間距離を適正化しつつ、かつ、収納ケースを眼鏡本体１０の内側（Ｙ２側）に設けることができ、収納ケースから露出したミラーを周囲から目立たなくさせることができるとともに、設置距離を長くした第２使用状態の位置で操作することにより、収納ケースからミラーを安全に露出させことができる。
【０１２４】
よって、次に、収納部３０を有する後方視認装置２０・１、２０・２について説明する。後方視認装置２０−１は左側の蝶番部１５に設けられ、後方視認装置２０−２は右側の蝶番部１５に設けられているが、左右対称の構成である以外は同様の構成であるので、後方視認装置２０−１を例にとって説明する。
【０１２５】
後方視認装置２０−１は、図１３〜図２４に示すように構成され、蝶番部１５に軸着された収納部３０と、収納部３０の軸ピン５０に軸着されたミラーユニット６０と、軸ピン５０に取り付けられた前後位置調整板部群（以下「調整板部群」とする）８０とを有している。
【０１２６】
ここで、収納部３０は、板状部材をコ字状に形成した形状を呈する収納部本体３２と、収納部本体３２の後方側の面に固定された支持部４０と、収納部本体３２に挿通する軸ピン５０とを有している。
【０１２７】
収納部本体３２は、縦長帯板状の側面部３４と、側面部３４の前側の辺部から側面部３４に対して直角に形成された縦長帯板状の前面部３６と、側面部３４の後側の辺部から側面部３４に対して直角に形成された縦長帯板状の後面部３８とを有し、断面略コ字状を呈している。ここで、側面部３４は、方形状の板状を呈し、前面部３６と後面部３８とは、側面部３４とは反対側の上下の角部にアールを形成した方形状の板状を呈している。ここで、側面部３４の縦方向（上下方向としてもよい）の長さｈ１１と前面部３６の縦方向の長さｈ２１とは同一に形成されているのに対して、後面部３８の縦方向の長さｈ３１（長手方向の長さ）は、側面部３４や前面部３６の縦方向の長さよりも短く形成され、側面部３４の上端と前面部３６の上端と後面部３８の上端とは面一に形成されていることから、後面部３８の下端は、側面部３４の下端よりも上位置に形成されている。これにより、操作つまみ６８を用いてミラーユニット６０を回動させた際に、操作つまみ６８が後面部３８に接触しないように構成されている。
【０１２８】
また、側面部３４の縦方向の長さｈ１１や前面部３６の縦方向の長さｈ２１は、ミラーユニット６０の長手方向の長さ（支持部６２の長手方向の長さでもある）ｈ４１以上に形成され、これにより、ミラーユニット６０を収納部本体３２に収納した状態では、ミラーユニット６０が収納部本体３２から上下方向に突出しないようになっている。なお、側面部３４の縦方向の長さｈ１１や前面部３６の縦方向の長さｈ２１をミラーユニット６０の長手方向の長さｈ４１と同一としてもよい。
【０１２９】
また、前面部３６の横方向の長さｈ２２と後面部３８の横方向の長さｈ３２とは同一に形成され、長さｈ２２、ｈ３２は、ミラー７２の短手方向の長さｈ４２以上の長さに形成され、図１３に示すようにミラーユニット６０を収納部本体３２に収納した状態では、ミラー７４が収納部本体３２から突出しない（つまり、前面部３６や後面部３８の内側の端部（側面部３４とは反対側の端部）から突出しない）ように形成されている。
【０１３０】
また、前面部３６と後面部３８には軸ピン５０を挿通するための円形の挿通孔３６ａ、３８ａが形成されている。この挿通孔３６ａと挿通孔３８ａは、左右方向に同じ位置に形成され、これにより、挿通孔３６ａ、３８ａに挿通された軸ピン５０は前面部３６、後面部３８に対して垂直となる。なお、挿通孔３６ａの径の大きさは、軸ピン５０の軸部５２の溝部５２ａが嵌合するために、挿通孔３８ａの径の大きさよりも小さく形成されている。つまり、挿通孔３８ａは、軸ピン５０の軸部５２が挿通する大きさに形成され、挿通孔３６ａは、軸部５２の径（最大径）よりも小さく形成されている。これにより、軸ピン５０が収納部本体３２に対して回転可能に固定されるとともに、軸ピン５０が挿通孔３６ａ、３８ａから容易には脱落しないようになる。
【０１３１】
また、支持部４０は、細長の板状部材を略コ字状に形成した形状を呈し、方形状の平板状の中間板部４２と、中間板部４２の上辺から突出した平板状の突出板部４４と、中間板部４２の下辺から突出した平板状の突出板部４６とを有している。突出板部４４と突出板部４６とは互いに平行に形成されている。
【０１３２】
なお、突出板部４４と突出板部４６間の長さは、蝶番部１５に軸着できるように、突出部１２ａの上面と突出部１２ｂの下面間の長さと同一又はわずかに長く形成されている。また、中間板部４２の横方向の長さは、後面部３８の横方向の長さｈ３２よりも短く形成されている。
【０１３３】
また、突出板部４４の長手方向の長さｈ５１は、突出板部４６の長手方向の長さｈ５２よりもわずかに長く形成され、突出板部４４の先端位置と突出板部４６の先端位置を結ぶ方向は鉛直方向となっているので、これにより、中間板部４２は、突出板部４４、４６に対してわずかに傾斜し、中間板部４２は、上側が前方側となるように（つまり、フロント１２の前傾角度に沿う形で）傾斜している。また、突出板部４４と突出板部４６には、対応する位置に、ネジ１７を挿通するための円形の挿通孔４４ａ、４６ａが形成されている。ネジ１７が挿通孔４４ａ、４６ａに挿通された状態では、ネジ１７は、鉛直方向となっている。これにより、後方視認装置２０−１を蝶番部１５に取り付けた状態では、図１３、図１４、図１５等に示すように、収納部本体３２の上側が、フロント１２の傾斜角度に沿って、前側に傾斜している。例えば、図１３や図１７では、ネジ１７の軸線方向と後面部３８の側面部３４側の辺部とは角度α１１が形成され、収納部本体３２が傾斜した状態となっている。また、図１５からも分かるように、眼鏡５を真上から（つまり、鉛直方向の真上から）視認した場合に、収納部本体３２が傾斜している。これは、フレーム１２の両端を除く部分において、レンズ１６−１、１６−２に前傾角度を設けるために、フレーム１２の上側が前方側に傾斜していることから、フレーム１２の屈曲部１２−１の内側の傾斜面に沿って後方視認装置２０−１を配置することで、収納部本体３２がフレーム１２と一体化して、周囲から目立たなくさせるためである。
【０１３４】
支持部４０を蝶番部１５に取り付けた状態では、収納部本体３２はフレーム１２の端部の内側（つまり、屈曲部１２−１、１２−２）の内側に設けられ（つまり、収納部本体３２は、フレーム１２の端部の内側の位置に固定して設けられている）、突出板部４４の下面が突出部１２ａの上面に接し、突出板部４６の上面が突出部１２ｂの下面に接した状態で（つまり、突出板部４４と突出板部４６とで、突出部１２ａ、１４ａ、１２ｂを挟んだ状態で）、ネジ１７の軸部１８を挿通孔４４ａ、突出部１２ａのネジ穴、突出部１４ａの挿通孔、突出部１２ｂのネジ穴、挿通孔４６ａに挿通させることにより、軸部１８が、突出部１２ａ、１２ｂのネジ穴に螺合する。つまり、支持部４０を蝶番部１５に取り付けた状態では、突出板部４４が蝶番構成部の上端に接し、突出板部４６が蝶番構成部の下端に接している。なお、突出板部４４は、軸部１８が突出部１２ａのネジ溝に螺合することにより、頭部１９と突出部１２ａ間に挟まれた状態で締め付けて固定され、軸部１８は、挿通孔４６ａにも挿通されるので、支持部４０が蝶番部１５に確実に固定される。よって、支持部４０の突出板部４４をネジ１７により蝶番部１５（特に、突出部１２ａ）に締め付けた状態で固定するので、収納部３０はネジ１７に沿った軸線を中心に容易に回動することがなく、後方視認装置２０−１、２０−２が眼に触れて危険となることがない。なお、挿通孔４４ａ及び挿通孔４６ａの形状は、前後方向（Ｙ１−Ｙ２方向）において、縦長に形成されていることが好ましい。すなわち、挿通孔４４ａ及び挿通孔４６ａの径の大きさは、ネジ１７の軸部１８の径と同一又はわずかに大きく形成されるが、収納部本体３２の鉛直方向（Ｚ１−Ｚ２方向）における設置角度を調整する場合、例えば、ネジ１７の軸線方向と後面部３８の側面部３４側の辺部との為す角度α１１を相殺して、収納部本体３２をネジ１７の軸線方向と平行に設ける場合、突出板部４４及び突出板部４６における挿通孔４４ａ及び挿通孔４６ａの位置を前後方向にずらす必要がある。そこで、挿通孔４４ａ及び挿通孔４６ａの孔の形状が、前後方向において、縦長に形成されていれば、収納部本体３２の鉛直方向における設置角度を調整することが可能となる。
【０１３５】
また、軸ピン（軸部材としてもよい）５０は、軸部５２と、軸部５２の基端に設けられた頭部５４とを有し、軸部５２は、略円柱状を呈し、円柱形状の一部に溝部（リング状の溝部）５２ａを形成した形状となっている。つまり、溝部５２ａは、軸部５２の先端側に形成され、この溝部５２ａ形成部分の径は、溝部５２ａの形成部分が挿通孔３６ａに挿通できるように、挿通孔３６ａの径以下に形成されている。また、頭部５４の径は、挿通孔３８ａの径よりも大きく形成されている。これにより、軸ピン５０を挿通孔３８ａ側から挿通孔３８ａ、３６ａに挿通した際には、溝部５２ａが挿通孔３６ａに嵌合し、挿通孔３８ａには、軸部５２の基端側の部分が挿通した状態となり、頭部５４は、後面部３８の後面側に接し、軸部５２の溝部５２ａよりも先端側の部分は、前面部３６よりも前面側に突出する。これにより、軸ピン５０は、収納部本体３２に対して回転可能に固定される。つまり、軸ピン５０は、前面部３６と後面部３８間に略前後方向に支持して設けられている。また、軸ピン５０の先端部分が前面側に突出しているので、収納部本体３２がフレーム１２の屈曲部１２−１、１２−２の内側に設けられた状態では、図１６、図１７に示すように、前面側に突出した軸ピン５０の先端部分がレンズ１６−１、１６−２の側面（外側の端部）に接し、収納部３０のネジ１７に沿った軸線を中心とした回動が規制されているので、収納部３０を固定するネジ１７による締め付けが緩んだ状態になっても、収納部３０は規制位置よりさらに内側に回動することがなく、後方視認装置２０−１、２０−２が目に触れて危険となることがない。なお、屈曲部１２−１、１２−２の内側に収納部本体３２を収納できるスペースを設ける場合には、すなわち、屈曲部１２−１、１２−２の内側の左右方向（Ｘ１−Ｘ２方向）の長さが、収納部本体３２の短手方向の長さｈ２２より長く形成され、前面部３６の長手方向の辺部３６−１がレンズ１６−１、１６−２の側面（外側の端部）に接することができる場合には、ネジ１７による締め付けが緩んだ状態となっても、辺部３６−１がレンズ１６−１、１６−２の側面に接し、収納部３０のネジ１７に沿った軸線を中心とした回動を規制することができる。よって、この場合には、軸ピン５０を逆向きに、すなわち、頭部５４が前面側に位置するようにして固定してもよい。したがって、挿通孔３６ａと３８ａの径は逆となり、挿通孔３８ａの径の大きさは、軸ピン５０の軸部５２の溝部５２ａが嵌合するために、挿通孔３６ａの径の大きさよりも小さく形成される。また、屈曲部１２−１、１２−２の内側に収納部本体３２を収納できるスペースを設ける場合には、フレーム１２の内側に辺部３６−１を当接させるための規制突起が形成されていてもよい。例えば、フレーム１２における左側構成部１２−Ａを例にとると、左側構成部１２−Ａの上側構成部１２−Ａ−１（図１６参照）の内側と下側構成部１２−Ａ−２（図１６参照）の内側に背面側に突出する突起を設けて、辺部３６−１がこれらの突起に対して側方から接する構成とする。
【０１３６】
なお、軸ピン５０の先端部分がレンズ１６−１、１６−２の側面（外側の端部）に接し、又は前面部３６の長手方向の辺部３６−１がレンズ１６−１、１６−２の側面（外側の端部）に接して、収納部３０のネジ１７に沿った軸線を中心とした回動が規制される範囲において、ネジ１７の軸線を基点として、収納部本体３２の水平方向（Ｘ１−Ｘ２方向）における設置角度を調整することができる。
【０１３７】
収納部３０を構成する収納部本体３２と支持部４０と軸ピン５０とは、透明な部材（具体的には、透明な合成樹脂材）により構成されている。なお、収納部３０を半透明又は着色された部材（例えば、フレーム１２と同系色に着色された部材）により構成してもよい。ミラーを収納部本体３２に収納することで、ミラーの未使用時にはミラーによる光の乱反射を抑えることができるとともに、ミラーの使用時には、収納部本体３２を眼鏡本体１０の内側に常設することで、必要なときに即座に使用することができるので、機動性が備わる。なお、軸ピン５０を金属製としてもよい。収納部３０が透明又は半透明の部材により形成されることにより、後方視認装置が目立つことなく、周囲の人に違和感を与えることがなく、また、収納部３０がフレーム１２と同系色に着色された部材により形成されることにより、後方視認装置がフレームと一体化して目立つことがなく、周囲の人に違和感を与えることがない。
【０１３８】
また、ミラーユニット６０は、支持部６２と、支持部６２の支持部本体６４の後面側の面に固定された静止用板部７０と、支持部６２の支持部本体６４の後面側の面に固定された装飾板７２と、装飾板７２の後面側の面に固定されたミラー７４とを有している。
【０１３９】
ここで、支持部（本体部）６２は、装飾板７２を介してミラー７４を支持するものであり、略Ｌ字状の板状を呈する支持部本体（板状部）６４と、支持部本体６４における突状部６６から連設され、支持部本体６４に対して直角に形成された操作つまみ６８とを有している。この支持部本体６４は、全体に平板状を呈していて、支持部本体６４は、縦長帯状の帯状部６５と、帯状部６５の側辺の下端領域から連設された突状部６６とを有している。
【０１４０】
この帯状部（帯板状部）６５は、縦長長方形状の３つの角部（突状部６６を連設した箇所以外の３つの角部）にアールを形成した形状を呈し、長手方向の一方の端部は、半円状に形成されている。帯状部６５の下側領域には、軸ピン５０の軸部５２を挿通するための円形の挿通孔６５ａが形成されている。この挿通孔６５ａの径の大きさは、軸部５２の径（溝部５２ａ以外の部分の径）以上に形成され、ミラーユニット６０が軸ピン５０に対して軸ピン５０の軸線を中心に回転可能に形成されている。帯状部６５の短手方向の長さは、ミラー７４の短手方向の長さｈ４２と同一に形成されている。
【０１４１】
また、突状部６６は、帯状部６５の長手辺６５−１の端部から連設され、方形状の板状を呈し、長手辺６５−１と直角の辺部の一方は、帯状部６５の辺部と面一に形成されている。この突状部６６の先端は、ミラーユニット６０が収納部本体３２に収納された状態では、収納部本体３２から突出した状態となる。これにより、ミラーユニット６０を収納部本体３２に対して回動した場合でも、操作つまみ６８が収納部本体３２に接触することがない。
【０１４２】
また、操作つまみ６８は、突状部６６の先端から連設され、方形状の板状の先端の一対の角部にアールを形成した形状となっている。
【０１４３】
なお、支持部６２は、透明な部材（具体的には、透明な合成樹脂材）により構成されている。
【０１４４】
また、静止用板部７０は、リング状の板状を呈し、静止用板部７０の径は、帯状部６５の短手方向の長さｈ４２以下（好ましくは若干小さく）形成されている。また、静止用板部７０の厚みは、ミラー７４の厚みと装飾板７２の厚みを加算した厚みと略同一（同一又は若干大きく）に形成されている。この静止用板部７０には、軸ピン５０の軸部５２を挿通するための円形の挿通穴７０ａが形成されている。この挿通穴７０ａの径の大きさは、軸部５２の径（溝部５２ａ以外の部分の径）以上に形成されている。この静止用板部７０は、軟質合成樹脂（好適には、軟質性塩化ビニル）により形成され、静止用板部７０が接する調整板部８２（８４）や後面部３８との間に適度な摩擦を生じて、ミラーユニット６０が、図２４に示すように、所望の回動角度で静止するように形成されている。したがって、収納部本体３２に収納された状態におけるミラー７４の収納姿勢を保持し、また、収納部本体３２から露出した状態におけるミラー７４の露出姿勢を維持することができる。なお、静止用板部７０は、透明な軟質合成樹脂（好適には、透明な軟質性塩化ビニル）により形成するのが好ましい。
【０１４５】
なお、静止用板部７０と支持部６２とを軟質合成樹脂で一体成型してもよい。支持部６２を軟質合成樹脂で形成することにより、支持部本体６４の帯状部６５（特に、ミラー７４と静止板部７０との間の境界部位）が柔軟となり、ミラーユニット６０による眼の損傷を未然に防止することができ、安全に使用することができる。
【０１４６】
装飾板７２は、帯状を呈し、長方形状の４つの角部にアールを形成して、長手方向の両側の端部は半円状に形成されている。短手方向の長さは、ミラー７４の短手方向の長さｈ４２と同一に形成され、長手方向の長さは、装飾板７２が静止用板部７０に接しない程度の長さ（つまり、長さｈ４１から静止用板部７０の外径を減じた長さ以下の長さ）となっている。装飾板７２は、支持部本体６４の帯状部６５の後面側の面に接着等により固定して設けられ、装飾板７２の上端の半円状の辺部と帯状部６５の上端の半円状と辺部とを一致させて固定している。この装飾板７２の前面側は、着色されている。つまり、装飾板７２は、ミラー７４の前面側の面を装飾するために設けられ、周囲から目立たない色（例えば、フレーム１２と同系色）に着色されている。
【０１４７】
また、ミラー７４は、装飾板７２と同大同形状に形成され、装飾板７２の後面側の面に接着等により固定して設けられている。ミラー７４は、ミラー７４の外周を装飾板７２の外周に一致させて装飾板７２に固定されている。このミラー７４の後面側の面には鏡面が設けられている。
【０１４８】
なお、ミラー７４の前面側の面を装飾して、装飾板７２を省略してもよい。その場合には、静止用板部７０の厚みは、ミラー７４の厚み以上の厚みがあればよい。
【０１４９】
なお、ミラー７４は、表面に鏡面加工が施されて塩化ビニル板により形成されている。
【０１５０】
ミラーユニット６０は、軸ピン５０の軸部５２が挿通孔６５ａ、７０ａに挿通されることにより、軸ピン５０を介して収納部本体３２に回動可能に取り付けられている。
【０１５１】
また、軸ピン５０は収納部本体３２に対して回転しないように固定され、ミラーユニット６０は、軸ピン５０に対して回転する構成としてもよく、あるいは、軸ピン５０が収納部本体３２に対して回転し、ミラーユニット６０が軸ピン５０に固着された構成としてもよい。さらに、収納部本体３２と軸ピン５０とを一体に成型し（つまり、収納部本体３２に軸ピン（前面部３６と後面部３８間に設けられた軸ピン）を設けた構成とする）、ミラーユニット６０が、収納部本体３２に固定された軸部材を軸として回動する構成としてもよい。この場合には、軸ピン（軸部材）５０を取り外すことができないので、ミラーユニット６０を軸部材に掛止するために、帯状部６５と静止用板部７０とに、以下の調整板部群８０における切欠部８４Ｋと同形状の切欠部を要する。
【０１５２】
調整板部群８０は、複数の前後位置調整板部（以下「調整板部」とする）８２、８４とを有し、調整板部８２と調整板部８４とは同一の構成であるので、調整板部８４を例にとって説明する。調整板部８４は、全体に板状を呈していて、調整板部８４は、本体部８４−１と、本体部８４−１の周縁から突出して形成された棒状の柄部８４−２とを有している。
【０１５３】
本体部８４−１は、板状を呈し、円形の板状部材に対して円形状と扇形状とを連ねた切欠部８４Ｋを形成した形状を呈している。この切欠部８４Ｋは、円形の開口部８４ａと、本体部８４−１の周縁から開口部８４ａに至る扇状の切欠部８４ｂとから構成されている。この扇状の切欠部８４ｂの最奥位置の幅ｈ６１は、開口部８４ａの径ｈ６２よりも小さく形成されている。つまり、幅ｈ６１は、軸部５２の径（溝部５２ａ以外の部分の径）よりも小さく形成され、開口部８４ａの径ｈ６２は、軸部５２の径（溝部５２ａ以外の部分の径）と略同一に形成され、調整板部８４の切欠部８４ｂ内に軸部５２を配置し、調整板部８４を軸部５２側に押し込むことにより、軸部５２が開口部８４ａに嵌合するようになっている。つまり、調整板部８４の切欠部８４Ｋは、軸部５２に掛止するためのものである。この本体部８４−１の外径は、静止用板部７０の外径と略同一に形成されている。
【０１５４】
この調整板部８４は、軟質合成樹脂（好適には、軟質性塩化ビニル）により形成されている。なお、調整板部８４は、透明な軟質合成樹脂（好適には、透明な軟質性塩化ビニル）により形成するのが好ましい。
【０１５５】
なお、ミラーユニット６０における本体部６２と静止用板部７０とを軟質合成樹脂により一体に形成し、本体部６２と静止用板部７０とに、軸部５２に掛止するための切欠部８４Ｋと同形状の切欠部を形成してもよい。
【０１５６】
この調整板部群８０における各調整板部８２、８４はミラーユニット６０の収納部本体３２における前後方向の位置を調整するために用いられる。つまり、眼鏡本体１０に矯正度数の入ったレンズ１６−１、１６−２が装着される場合、通常、度数が強くなるほどレンズの厚みが増し、フレーム１２から後側（Ｙ２側）にはみ出してくるため、ミラーユニット６０の回動動作に支障が出る。そこで、レンズの厚みに応じて、ミラーユニット６０の回動動作に支障が出ないように、収納部本体３２内におけるミラーユニット６０の前後方向の位置を調整する必要がある。
【０１５７】
ミラーユニット６０を最も前側（Ｙ１側）に位置させる場合（これを前位置とする）には、図１８に示すように、調整板部８２、８４をともに静止用板部７０の後面側に位置させる。つまり、調整板部８２を静止用板部７０の後面側に接した位置とするとともに、調整板部８４を調整板部８２の後面側に接した位置とする。また、ミラーユニット６０を最も後側（Ｙ２側）に位置させる場合（これを後位置とする）には、図２２に示すように、調整板部８４を支持部本体６４の前面側に接した位置とするとともに、調整板部８２を調整板部８４の前面側に位置させる。また、ミラーユニット６０を前位置と後位置の中間に位置させる場合（これを中間位置とする）には、図２３に示すように、調整板部８２を支持部本体６４の前面側に位置させるとともに、調整板部８４を静止用板部７０の後面側に位置させる。この調節により、眼鏡本体１０に装着される矯正度数の入ったレンズ１６−１、１６−２の厚みに対応して、ミラーユニット６０をレンズ１６−１、１６−２の裏面直近の位置で回動させることができる。
【０１５８】
後方視認装置２０−１がフレーム１２に取り付けられた状態では、支持部４０が蝶番部１５に取り付けられ、収納部本体３２は、屈曲部１２−１の内側の空間に配置されている。また、収納部本体３２は、上下方向には、フレーム１２の前傾角度に沿って、上側が前側に傾斜しており（例えば、図１３や図１７に示すように、ネジ１７の軸線方向と後面部３８の側面部３４側の辺部とは角度α１１が形成されている）、前後方向には、フレーム１２の湾曲に沿って、収納部本体３２の右側は左側よりも前方に傾斜している（つまり、図１５に示すように、収納部本体３２の前面部３６は左右方向（Ｘ１−Ｘ２方向）に対してα１２の角度で傾斜している）。なお、収納部本体３２における縦方向の辺部はほぼ鉛直方向（Ｚ１−Ｚ２方向）となっており、左右方向には傾斜していない（例えば、図１６に示すように、前面部３６の右側の辺部３６−１は、正面視において鉛直方向となっている）。よって、収納部本体３２がフレーム１２と一体化するので、後方視認装置２０−１、２０−２を周囲から目立たなくさせることができる。
【０１５９】
また、軸ピン５０は、収納部本体３２においては略前後方向を向いているが、収納部本体３２が眼鏡本体１０に装着された状態では、フレーム１２の前傾角度に沿って収納部本体３２の上側が前方に傾斜し、また、フレーム１２の湾曲に沿って収納部本体３２の右側が左側より前方に傾斜するので、軸ピン５０は、前後方向（Ｙ１−Ｙ２方向）に対して、上下方向には、先端側が若干斜め下方を向くとともに、左右方向には、先端側が若干斜め外側を向く状態となる。つまり、ミラーユニット６０の回動軸は、収納部本体３２内においては略前後方向を向いているが、収納部本体３２が眼鏡本体１０に装着された状態では、前後方向に対して、上下方向には、先端側が若干斜め下方を向き、左右方向には、先端側が若干斜め外側を向いている。したがって、ミラーユニット６０の回動面は、前後方向に対して、上下方向には上側が前側に傾斜し、左右方向には内側が前側に傾斜する。これにより、ミラーユニット６０をフレーム１２の内側の面に沿って回動させることができる。
【０１６０】
また、本実施例は、眼鏡本体１０に後方視認装置２０−１、２０−２を後付けした例示であり、収納部本体３２はフレーム１２の内側とレンズ１６−１の一部に接した状態となっている。つまり、収納部本体３２の側面部３４と前面部３６間の角部がフレーム１２の屈曲部１２−１の内側に接し、また、前面部３６がレンズ１６−１の外側の端部の内側に接している。つまり、後方視認装置２０−１の収納部３０は、蝶番部１５とフレーム１２間、さらには、蝶番部１５とレンズ１６−１間に嵌合されている。これにより、収納部３０の支持部４０が蝶番部１５に締め付けて固定されていることと相まって、操作つまみ６８を操作してミラーユニット６０を回動させた場合やテンプル１４−１をフレーム１２に対して回動させた場合に、後方視認装置２０−１がネジ１７の軸線を中心に回動してしまうことがなく、後方視認装置２０−１、２０−２が眼に触れて危険となることがない。
【０１６１】
また、屈曲部１２−１とレンズ１６−１との間に収納部本体３２を収納可能なスペース（具体的には、左右方向にはｈ２２の長さ、前後方向にはｈ１２の長さ）を設ける場合には、収納部本体３２の前面部３６の角部を屈曲部１２−１の内側に当接させ、前面部３６の辺部３６−１（図１８参照）をレンズ１６−１の外側の端部に当接させ、前面部３６の内側の面とレンズ１６−１の裏面とが面一となるように、収納部本体３２を屈曲部１２−１の内側に嵌合させることができる。よって、前面部３６の辺部３６−１がレンズ１６−１の外側の側面に当接しているので、収納部３０を固定するネジ１７による締め付けが緩んだ状態となっても、収納部３０のネジ１７の軸線を中心とした回動が規制され、後方視認装置２０−１、２０−２が眼に触れて危険となることがない。また、屈曲部１２−１の内側に収納部本体３２を収納可能なスペースを設ける場合には、収納部３０のネジ１７の軸線を中心とした回動を規制するために、屈曲部１２−１の内側（例えば、１２−Ｄ（図１参照）の位置）に辺部３６−１を当接させるための規制突起が形成されていてもよい。例えば、屈曲部１２−１の内側に背面側に突出する突起を設けて、辺部３６−１がこれらの突起に対して側方から接する構成とする。
【０１６２】
なお、ミラー７４を起立した状態とした場合には、図１３、図２４（ａ）に示すように、ミラー７４は収納部本体３２内に収納された状態となり（つまり、眼鏡５は、ミラー７４の収納機能を有しているといえる）、一方、ミラーユニット６０を回動させてミラー７４を横方向にした場合には、ミラー７４は、図１４、図２４（ｃ）に示すように、収納部本体３２から露出してフレーム１２の下端に沿った状態となる。ミラーユニット６０は、図１３、図２４（ａ）に示すように、収納部本体３２内に収納された状態（「ミラーの収納状態」とする）と、図１４、図２４（ｃ）に示すように、収納部本体３２から露出した状態（「ミラーの全開状態」又は「定位置」とする）の間を回動可能である。ミラーユニット６０の回動に際しては、ミラー７４が収納部本体３２内に収納された状態においてミラーユニット６０の下端領域に回動軸が設けられているので、ミラー７４が収納部本体３２に収納された状態からミラーユニット６０が回動するに際しては、ミラーユニット６０の上端が内側かつ下方に回動する。
【０１６３】
なお、図２４（ｃ）に示すように、ミラー７４の全開状態（定位置）では、突状部６６が側面部３４の下端部分の内側に当接するので、ミラー７４の収納状態（図２４（ａ）参照）からミラー７４の全開状態（定位置）までの角度は９０度であるが、側面部３４の上下方向の長さを短くして、側面部３４の下端が後面部３８の下端よりも上側にあるようにすることにより（つまり、側面部３４の下端部分を除去した構成とする）、図２４（ｃ）に示す位置よりもさらに下方に回動するように構成して、フレーム１２の下側の枠の形状に応じて、ミラー７４の収納状態から全開状態までの角度を９０度よりも大きく１００度程度となるようにしてもよい。つまり、ミラーユニット６０がフレーム１２の左側構成部１２−Ａの下側の枠に沿った位置でミラー７４の全開状態（定位置）とすることができれば、前側（Ｙ１側）から眼鏡５を見た場合、収納部本体３２から露出したミラーユニット６０の帯状部６５をフレーム１２の下側の枠の陰に隠すことができるので、収納部本体３２から露出したミラー７４や帯状部６５を周囲から目立ちにくくすることができる。
【０１６４】
なお、後方視認装置２０−２は、後方視認装置２０−１と左右対称である以外は同様の構成であるので、詳しい説明を省略する。
【０１６５】
なお、上記の構成においては、収納部本体３２の固定方法として、収納部本体支持部４０を介して収納部本体３２を眼鏡本体１０に固定するとしたが、屈曲部１２−１、１２−２の内側に収納部本体３２を収納できるスペースを設ける場合には、フレーム１２の屈曲部１２−１、１２−２の内側の面（つまり、フレーム１２の端部の内側）に、収納部本体３２の前面部３６又は側面部３４を固着させ（固着方法としては、接着剤や加熱による溶着等が考えられる）、収納部本体支持部４０を省略した構成として、収納部本体３２をフレーム１２の端部の内側の位置に固定して設けるようにしてもよい。なお、この場合には、後方の視野範囲（つまり、鉛直方向（Ｚ１−Ｚ２方向）及び水平方向（Ｘ１−Ｘ２方向）におけるミラー７４の設置角度）の調整は、ミラーユニット６０の帯状部６５（特に、静止用板部７０とミラー７４との境界部位）を変形させることで、対応することもできる。
【０１６６】
次に、矯正度数の入ったレンズ１６−１、１６−２が装着された眼鏡本体１０に、後方視認装置２０−１、２０−２（特に、収納部３０）を設ける場合の眼鏡５の使用方法について説明する。なお、眼鏡５を使用するに際しては、調整板部８２、８４を用いてミラーユニット６０の前後位置を予め調整しておく。すなわち、矯正度数の入ったレンズ１６−１、１６−２の厚みに対応して、ミラー７４を最も前側（Ｙ１側）に位置させる場合（レンズ１６−１、１６−２の厚みが薄い場合には、前位置とする）には、図１８に示すように、調整板部８２、８４をともに静止用板部７０の後側に配置し（つまり、調整板部８２を静止用板部７０の後側の面に接するように配置し、調整板部８４を調整板部８２の後側の面に接するように配置する）、ミラー７４を最も後側（Ｙ２側）に位置させる場合（レンズ１６−１、１６−２の厚みが厚い場合には、後位置とする）には、図２２に示すように、調整板部８２、８４をともに支持部本体６４の前側に配置し（つまり、調整板部８４を支持部本体６４の前側の面に接するように配置し、調整板部８２を調整板部８４の前側に接するように配置する）、ミラー７４を前位置と後位置の中間に位置させる場合（レンズ１６−１、１６−２の厚みが中程度の場合には、中間位置とする）には、図２３に示すように、調整板部８２を支持部本体６４の前側の面に接するように配置し、調整板部８４を静止用板部７０の後面側に接するように配置する。なお、調整板部８２、８４は、軸ピン５０の軸部５２に取り付ける。つまり、調整板部８２、８４の円形の開口部を軸部５２に嵌合させる。この調整により、ミラーユニット６０をレンズ１６−１、１６−２の裏面直近の位置で回動させることができる。
【０１６７】
なお、調整板部８２、８４を所望の位置で軸部５２に取り付けて、ミラーユニット６０の前後位置を調整した場合には、調整板部８２、８４の柄部（調整板部８４においては、柄部８４−２）を切り取ることにより、操作つまみ６８を操作する際に柄部が邪魔になることがない。
【０１６８】
次に、ミラー７４が収納部本体３２に収納された状態、すなわち、収納状態にして、レンズ１６−１、１６−２の裏面から瞳（角膜）の頂点までの間隔、すなわち、頂点間距離を合わせる。なお、収納状態では、図１３に示すように、ミラーユニット６０は最も外側に回動した状態となっていて、ミラー７４は起立した状態で収納されている。
【０１６９】
頂点間距離の合わせ方は、前述と同じ方法による。すなわち、眼鏡５を顔に装着して、通常のパッドの位置合わせと同様に、パッド足１１０を伸縮させて、レンズ１６−１、１６−２の裏面から装用者の瞳（角膜）の頂点までの間隔が１２ミリとなるように合わせる（仮調整）。装用者は眼鏡５を顔に掛けた状態で、テンプル１４−１、１４−２を両手で支持して、フロント１２を前後させ、頂点間距離が１２ミリの間隔に調整された第１使用状態と頂点間距離を長くした第２使用状態との間で、レンズ１６−１、１６−２を通して網膜に映り込む像を比較して、見やすい間隔（すなわち、検査用眼鏡６００を通して得られた矯正効果を再現できる間隔）を確認して選択する。頂点間距離が１２ミリの間隔で見やすかった場合には、そのままの状態で使用する（本調整）。よって、レンズ１６−１、１６−２の裏面から装用者の瞳（角膜）の頂点までの距離は、１２ミリの間隔で適正化される（第１使用状態（通常使用状態））。
【０１７０】
この間隔では、収納部３０（特に、後面部３８）と眼との間隔、すなわち、設置距離が狭すぎるので、図２４に示すように、操作つまみ６８を操作して、収納部本体３２からミラーユニット６０を回動させてミラー７４を露出させるときに、ミラー７４が眼（特に、まつ毛）に触れて危険となる。また、ミラー７４と瞳（角膜）との間隔、すなわち、明視距離も近接し過ぎるので、ミラー７４を通して後方を視認しづらくなる。そこで、眼鏡本体１０が該鼻当て１００−１、１００−２（特に、パッド支軸１３０）を有した状態で使用すれば、頂点間距離が１２ミリの間隔で適正化された第１使用状態（通常使用状態）から、頂点間距離を長くした第２使用状態とすることができるので、収納部３０と眼との間隔、すなわち、設置距離を長くすることで、収納部本体３２からミラー７４を安全に露出させることができるとともに、ミラー７４と瞳（角膜）との間隔、すなわち、明視距離も長くすることができるので、ミラー７４を通して後方を視認しやすくすることができる。
【０１７１】
すなわち、後方視認装置２０−１、２０−２を使用するときには、テンプル１４−１、１４−２を両手で支持し、フレーム１２を前方上向きに押し出して、パッド支軸１３０をパッド箱１２０内から後側（Ｘ１２側）にスライドさせて、頂点間距離を長くした第２使用状態とする。第２使用状態では、収納部３０と眼との間隔、すなわち、設置距離を長くすることができるので、操作つまみ６８を操作してミラーユニット６０を内側に回動させて、収納部本体３２からミラー７４を眼（特に、まつ毛）に触れることなく安全に露出させることができる。また、ミラー７４と瞳（角膜）との間隔、すなわち、明視距離も長くすることができるので、回旋距離ｈ８５が見かけ上、縮み、回旋角度α６（図１４参照）が小さくなる結果、少ない眼の回旋で後方を見ることができ、ミラー７４を通して後方を視認しやすくすることができる。
【０１７２】
次に、第２使用状態の位置において、前後方向（Ｙ１−Ｙ２方向）におけるミラー７４と瞳（角膜）との間隔、すなわち、明視距離が定まることにより、後方の視野範囲を調整するための水平方向（Ｘ１−Ｘ２方向）及び鉛直方向（Ｚ１−Ｚ２方向）の設置角度を調整する必要がある。
【０１７３】
収納部３０を設ける場合には、収納部本体３２における水平方向及び鉛直方向の設置角度を調整することによって、後方の視野範囲を調整することができる。すなわち、ミラーユニット６０は、収納部本体３２の前面部（３６）と後面部（３８）に対して、軸ピン（軸部材としてもよい）５０を介して略平行に設けられているので、収納部本体３２における水平方向及び鉛直方向の設置角度を調整することによって、ミラー７４における後方の視野範囲を調整することができる。鉛直方向（Ｚ１−Ｚ２方向）の調整は、図１３や図１７に示すように、ネジ１７の軸線方向と後面部３８の側面部３４側の辺部とのなす角度α１１が相殺されるように、つまり、収納部本体３２がネジ１７の軸線と平行となるように設置すれば、ミラー７４における後方の視野範囲を、鉛直方向において、上側から下側に移動させることができる。具体的には、支持部４０の突出板部４４及び突出板部４６と中間板部４２（後面部３８としてもよい）とのなす角度が９０度（直角）となるように変形させて、蝶番部１５に固定し直せばよい。したがって、収納部本体３２の蝶番部１５（特に、ネジ１７）に対する固定位置を調整することができるように、挿通孔４４ａ及び挿通孔４６ａの孔の形状は、前後方向に縦長に形成されていることが好ましい。また、水平方向（Ｘ１−Ｘ２方向）の調整は、図１５に示すように、収納部本体３２の前面部３６の左右方向（Ｘ１−Ｘ２方向）に対する傾斜角度α１２が相殺されるように、つまり、収納部本体３２が左右方向と水平となるように設置すれば、ミラー７４における後方の視野範囲を、水平方向において、真後ろからより外側へ移動させることができる。具体的には、ネジ１７の軸線を中心に収納部本体３２を内側に回動させて、ミラー７４が左右方向と水平となるようにして、蝶番部１５に固定し直せばよい。したがって、収納部本体３２がネジ１７の軸線を中心に回動して、収納部本体３２が左右方向と水平となる位置で、軸ピン５０の先端側がレンズ１６−１、１６−２の外側の端部に接し、又は、前面部３６の側面部とは反対側の辺部３６−１がレンズ１６−１、１６−２の外側の端部に接して、さらに内側に収納部本体３２が回動しないように規制されていることが好ましい。
【０１７４】
なお、後方の視野範囲は、ミラーユニット６０を回動させて調節することができる。すなわち、ミラーユニット６０においては、静止用板部７０と、調整板部８２、８４が軟質合成樹脂により形成されているので、他の部材との摩擦力が大きく、ミラーの収納状態と全開状態の間の任意の位置でミラーユニット６０を静止させることができ、ミラー７４を任意の回動角度とすることができる。ミラーユニット６０の回動角度としては、後方の上側を見たい場合には、ミラー７４の収納状態（図１３、図２４（ａ））から回動角度を小さくし、例えば、図２４（ｂ）の状態とし、後方の下側を見たい場合には、回動角度を大きくして、例えば、図２４（ｃ）の状態とする。なお、夜間は、収納部本体３２から露出したミラーユニット６０が目立たないので、後方を見やすい位置とし、昼間や往来が激しい場所では、図２４（ｂ）のようにミラーの収納状態と全開状態の中間位置ではミラーユニット６０が目立ってしまうので、全開位置としておくのが好ましい。つまり、ミラーの全開位置では、ミラーユニット６０はフレーム１２の下側の部分とほぼ平行になるので、目立ちにくいといえる。
【０１７５】
頂点間距離が第１使用状態（通常使用状態）の位置で１２ミリの間隔で適正化され、第２使用状態の位置で収納部本体３２の設置角度（後方の視野範囲）が調整された後、後方視認装置２０−１、２０−２を使用する場合には、頂点間距離を長くした第２使用状態の位置で使用する。すなわち、レンズ１６−１、１６−２を通して眼鏡として使用する場合には、第１使用状態（通常使用状態）の位置で使用し、特に後方を注視したい場合には、テンプル１４−１、１４−２を両手で支持し、フレーム１２を前方上向きに押し出し、収納部３０と眼との間隔、すなわち、設置距離を長くした第２使用状態とする。収納部本体３２にミラー７４が収納された収納状態から、操作つまみ６８によりミラーユニット６０を内側に回動させて、ミラー７４を収納部本体３２から露出させて、後方を視認可能な状態とする。ミラーユニット６０と眼（特に、まつ毛）との間隔が開くので、ミラー７４が眼に触れない状態で、安全に露出させることができる。また、ミラー７４と瞳（角膜）との間隔、すなわち、明視距離も長くなるので、ミラー７４を通して後方を視認しやすくすることができる。また、ミラー７４の未使用時には、第２使用状態の位置で、操作つまみ６８を操作して、ミラーユニット６０を外向きに回動させ、ミラー７４を収納部本体３２に収納する。眼鏡本体１０が収納部３０を有するので、ミラーの未使用時には、ミラー７４の反射面を収納部本体３２の後面部３８により覆い隠すことにより、ミラー７４による光の乱反射を抑えることができるとともに、ミラー７４の使用時には、即座に操作つまみ６８を操作して、ミラー７４を収納部本体３２から露出させることができるので、機動性に富むとともに、ミラー７４を眼鏡５に常設することができる。
【０１７６】
よって、頂点間距離の調節機能付眼鏡５を使用すれば、矯正度数の入ったレンズ１６−１、１６−２に対応して頂点間距離を適正化しつつ、かつ、収納部３０（収納ケース）と眼との間隔、すなわち、設置距離を調節することができるので、後方視認装置２０−１、２０−２をフレーム１２の屈曲部１２−１、１２−２の内側に設けることができる。また、ミラー７４の全開状態（定位置）では、ミラーユニット６０はフレーム１２の下枠に沿うので、収納部本体３２から露出した帯板状部６５やミラー７４を周囲から目立ちにくくすることができる。また、設置距離を長くした第２使用状態とすることができるので、第２使用状態の位置で操作つまみ６８を操作して、収納部本体３２からミラー７４を安全に露出させることができる。したがって、矯正度数の入ったレンズ１６−１、１６−２が装着される眼鏡５に、後方視認装置２０−１、２０−２を設けて、眼鏡５に後方視認機能を付加することができる。
【０１７７】
なお、矯正度数の入ったレンズ１６−１、１６−２と瞳（角膜）の頂点との間隔、すなわち、頂点間距離が第２使用状態の位置で適正化される場合には、大変都合がよい。すなわち、レンズ１６−１、１６−２が固有の頂点間距離をとる場合には、収納部３０と眼との間隔、すなわち、設置距離もすでに長くなっている状態だからである。したがって、その状態よりも、さらに前側（Ｙ１側）にフレーム１２を押し出す必要がない。よって、通常のパッドの位置の合わせ方と同様に、パッド足１１０を伸ばして（具体的には、治具を用いてパッド足１１０を伸ばす）頂点間距離を長くして、レンズ１６−１、１６−２と瞳（角膜）の頂点との間隔を第２使用状態の位置に合わせて、パッド箱１２０からパッド支軸１３０を取り外し、パッド支軸にパッドネジ１５０の挿通孔を有する市販のパッドに付け替えればよい。頂点間距離は第２使用状態の間隔で適正化される。この状態では、収納部３０と眼との間隔、すなわち、設置距離も長くなっているので、操作つまみ６８を操作して、収納部本体３２からミラー７４を安全に露出させることができる。また、ミラー７４と瞳（角膜）との間隔、すなわち、明視距離も長くなっているので、ミラー７４を通して後方を視認しやすくすることができる。よって、前後方向（Ｙ１−Ｙ２方向）におけるミラー７４と瞳（角膜）との間隔、すなわち、明視距離が第２使用状態の間隔に定まるので、その位置で、水平方向（Ｘ１−Ｘ２方向）及び鉛直方向（Ｚ１−Ｚ２方向）における収納部本体３２の設置角度を調整する。眼鏡本体１０にパッド支軸１３０が装着されていないので、眼鏡５の使用に際しては、レンズ１６−１、１６−２を通して眼鏡として使用するときも、後方視認装置２０−１、２０−２を使用して後方を視認するときも、常に、第２使用状態の間隔で使用することになる。なお、後方視認装置２０−１、２０−２の使用方法は、前述の使用方法と同様であるので、詳しい説明を省略する。
【０１７８】
なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。また、図面において、Ｙ１１−Ｙ１２方向は、Ｘ１１−Ｘ１２方向に直角な方向であり、Ｚ１１−Ｚ１２方向は、Ｘ１１−Ｘ１２方向及びＹ１１−Ｙ１２方向に直角な方向である。
【０１７９】
なお、上述の説明において、眼鏡５に装着される視力矯正用のレンズ１６−１、１６−２の裏面から装用者の瞳（角膜）の頂点までの間隔、すなわち、頂点間距離を適正化するに当たり、該鼻当て１００−１、１００−２（特に、パッド支軸１３０）が装着された眼鏡５を使用して、レンズ１６−１、１６−２を通して見やすい間隔、すなわち、検査用眼鏡６００において得られた矯正効果を再現できる間隔を装用者自らが確認することができ、レンズ１６−１、１６−２に固有の頂点間距離を選択することができると説明したが、頂点間距離における適正位置とされる１２ミリの間隔を、意図的に変更するのではない。
【０１８０】
すなわち、前述の通り、視力矯正に使用されるレンズにおいて、レンズの裏面から瞳（角膜）の頂点までの間隔は、頂点間距離、あるいは、角膜頂点間距離と呼称されるが、ＪＩＳ規格では、眼鏡枠に装着されるレンズの設計において、通常、レンズの裏面から眼球の回旋中心までの距離を２５ミリ（角膜の頂点から眼球の回旋中心までの標準距離は１３ミリであるので、したがって、頂点間距離は１２ミリ）と定め、頂点間距離が１２ミリの間隔で最も収差が出ないように設計される。また、検査用眼鏡による矯正度数の決定においては、最も顔側のレンズホルダに挿入される検査用レンズの裏面から被験者の瞳（角膜）の頂点までの距離を、できるだけ１２ミリの間隔に保った状態で矯正度数を決定するとの要請がある。よって、日本の規格においては、検査用眼鏡を使用して頂点間距離を１２ミリの間隔に保って矯正度数を決定し、その矯正度数のもとに眼鏡用レンズが１２ミリの間隔で最も収差が出ないように設計されるならば、仕上げられた眼鏡用レンズを眼鏡枠に装着して顔に掛けるときには、頂点間距離を１２ミリの間隔に保ってフィッティングさせるのが原則である。
【０１８１】
よって、次に、検査用眼鏡６００を使用して矯正度数が決定され、その矯正度数のもとに眼鏡用レンズ１６−１、１６−２が製作され、仕上がった眼鏡用レンズを眼鏡本体１０に装着して顔に掛けて頂点間距離を合わせる場合、眼鏡本体１０に装着されたレンズ１６−１、１６−２の裏面から装用者の瞳（角膜）の頂点までの距離を１２ミリの間隔でフィッティングさせると、レンズ１６−１、１６−２による矯正効果が低減する（すなわち、矯正度数の入ったレンズ１６−１、１６−２が固有の頂点間距離をとる）原因について説明する。
【０１８２】
頂点間距離のずれは、図２５に示すように、検査用眼鏡６００における各レンズホルダ（右眼用レンズホルダ６１２ａ、６１２ｂ、６１２ｃ、左眼用レンズホルダ６１４ａ、６１４ｂ、６１４ｃ）に挿入される検査用レンズの重ね合わせ方により発生する場合がある。すなわち、最後尾のレンズホルダ（最も顔側のレンズホルダ６１２ｃ、６１４ｃ（第１レンズホルダとする））に挿入される検査用レンズの裏面から被験者の瞳（角膜）の頂点までの距離を１２ミリの間隔に保って矯正度数を決定し、その矯正度数のもとに眼鏡用レンズ１６−１、１６−２が１２ミリの間隔で最も収差が出ないように設計され、仕上げられたレンズ１６−１、１６−２を眼鏡本体１０に装着して顔に掛け、レンズ１６−１、１６−２の裏面から装用者の瞳（角膜）の頂点までの距離を１２ミリの間隔でフィッティングさせると見にくい場合である（これを「第１の原因」とする）。また、厚い検査用レンズを重ね合わせて決定した矯正度数を、一枚の薄い眼鏡用レンズに仕上げるという造形上の問題から、頂点間距離が１２ミリの間隔からずれる場合がある（これを「第２の原因」とする）。
【０１８３】
第１の原因について具体例を示す（両眼とも矯正度数の決定手順は同様であるので、右眼の視力矯正を例に簡略に説明する）。例えば、Ａさんが眼鏡を作ることにした。視力低下の原因が遠視によるものか、近視によるものかを調べるため、検査用眼鏡６００を使用して、最も顔側のレンズホルダ（第１レンズホルダ）６１２ｃに検査用レンズを入れて、順次、レンズを入れ変えたところ、＋０．５０Ｄのときに見やすくなったので、遠視であることがわかった。そこで、＋０．５０Ｄのレンズの裏面からＡさんの瞳（角膜）の頂点までの距離を１２ミリの間隔に合わせた。（なお、遠視は網膜の後方で像が結像する眼の屈折異常である。遠視の矯正には凸レンズを使用し、光を収束させて瞳に入射させることで、像を網膜まで引き戻して矯正する。凸レンズには＋の符号を付し、屈折度の単位はジオプトリ（Ｄ）を使用する。ジオプトリは焦点距離を逆数で表したものであり、１／１（メートル）＝１Ｄである。）遠視と判明したが、まだ十分な視力が得られない。そこで、中間のレンズホルダ（第２レンズホルダとする）６１２ｂにおいて、検査用レンズを挿入して度数を上げていった結果、＋１．００Ｄのとき最高視力が得られた。よって、右眼の矯正度数を＋１．５０Ｄと決定して眼鏡用レンズを発注した。（なお、各検査用レンズの屈折度は、焦点距離を基礎としているので、単純に合算することができる。）
次に、Ｂさんが、視力が落ちたので眼鏡を作ることにした。まず、視力低下の原因が近視によるものか、遠視によるものかを調べるために、右眼用の第１レンズホルダ６１２ｃに検査用レンズを入れて、順次、レンズを入れ替えたところ、＋０．５０Ｄのとき見やすくなったので、遠視であることがわかった。そこで、＋０．５０Ｄのレンズの裏面からＢさんの瞳（角膜）の頂点までの距離を１２ミリの間隔に保った。遠視と判明したが、まだ、十分な視力が得られないので、第２レンズホルダ６１２ｂにおいて検査用レンズを挿入して度数を上げていった結果、＋１．００Ｄのとき最高視力が得られた。よって、右眼の矯正度数が＋１．５０Ｄであることがわかった。その後、念のために、＋１．５０Ｄのレンズを第１レンズホルダ６１２ｃに入れ替えて、＋１．５０Ｄのレンズの裏面からＢさんの瞳（角膜）の頂点までの距離を１２ミリの間隔に保って、見やすさを確認した。見やすかったので、右眼の矯正度数を＋１．５０Ｄと決定し、眼鏡用レンズを発注した。
【０１８４】
Ａさんの場合も、Ｂさんの場合も、ともに、検査用眼鏡６００において、第１レンズホルダ６１２ｃに挿入される検査用レンズの裏面からＡさん、Ｂさんの瞳（角膜）の頂点までの間隔、すなわち、頂点間距離を１２ミリの間隔に保って矯正度数を決定している。決定した矯正度数は、どちらも同じ＋１．５０Ｄである。その矯正度数のもとに、右眼用の眼鏡用レンズ１６−２が、１２ミリの間隔で最も収差が出ないように設計された。矯正度数＋１．５０Ｄの右眼用レンズ１６−２が仕上がったので、眼鏡本体１０の右側構成部１２−Ｂに装着された。
【０１８５】
Ｂさんの場合には、第１レンズホルダ６１２ｃにおいて、＋１．５０Ｄの検査用レンズに入れ替えて、＋１．５０Ｄの検査用レンズの裏面からＢさんの瞳（角膜）の頂点までの距離を１２ミリの間隔に保って見やすさを確認している。よって、決定された矯正度数のもとに、１２ミリの間隔で最も収差が出ないように設計された眼鏡用レンズ１６−２を眼鏡本体１０の右側構成部１２−Ｂに装着して、眼鏡５をＢさんの顔に掛けて頂点間距離を合わせる場合には、＋１．５０Ｄの矯正度数の入った右眼用レンズ１６−２の裏面からＢさんの瞳（角膜）の頂点までの距離を、１２ミリの間隔に保ってフィッティングさせれば見やすい筈である。
【０１８６】
ところが、Ａさんの場合には、第１レンズホルダ６１２ｃに＋０．５０Ｄの検査用レンズを入れて、＋０．５０Ｄの検査用レンズの裏面からＡさんの瞳（角膜）の頂点までの距離を１２ミリの間隔に保ち、第２レンズホルダ６１２ｂに＋１．００Ｄの検査用レンズを入れて矯正度数を決定した結果、主力となる＋１．００Ｄの検査用レンズの裏面からＡさんの瞳（角膜）の頂点までの間隔は、第２レンズホルダ６１２ｂの位置からの計測となっている。
【０１８７】
一般に、レンズは同じ度数であったとしても、瞳から遠ざけるほど矯正効果が強まる。例えば、凸レンズの場合には、瞳から遠ざかるほど光を収束させる。よって、Ａさんの場合には、第２レンズホルダ６１２ｂに挿入された＋１．００Ｄの検査用レンズの矯正効果は、第１レンズホルダ６１２ｃに挿入された場合よりも強めの矯正になっている。よって、第１レンズホルダ６１２ｃに＋０．５０Ｄの検査用レンズが挿入され、第２レンズホルダ６１２ｂに＋１．００Ｄの検査用レンズが挿入された状態で見やすかったならば、第１レンズホルダ６１２ｃに＋１．５０Ｄの検査用レンズが挿入された状態で見やすかったＢさんよりも、強めの矯正を必要とする。つまり、Ａさんの方が、やや視力が悪いわけである（別な言い方をすれば、検査用眼鏡６００における検査用レンズを重ね合わせた一つの光学系において、焦点距離の主点（計測始点）の位置が前側にずれた状態で矯正度数を決定したとしてもよい）。
【０１８８】
よって、Ａさんの場合には、第１レンズホルダ６１２ｃに＋０．５０Ｄの検査用レンズが挿入され、＋０．５０Ｄの検査用レンズの裏面からＡさんの瞳（角膜）の頂点までの距離を１２ミリの間隔に保ち、第２レンズホルダ６１２ｂに主力となる＋１．００Ｄの検査用レンズが挿入され矯正度数を＋１．５０Ｄと決定したので、＋１．５０Ｄの矯正度数の入った右眼用レンズ１６−２を眼鏡本体１０の右側構成部１２−Ｂに装着して、眼鏡５を顔に掛けてレンズ１６−２の裏面からＡさんの瞳（角膜）の頂点までの距離を合わせる場合には、１２ミリの間隔よりも前側（Ｙ１側）にずらした方が見やすい筈である。よって、Ａさんの場合には、眼鏡本体１０に装着された右眼用レンズ１６−２が、固有の頂点間距離をとるといえる。これは、あくまでも、意図的に頂点間距離を１２ミリの間隔からずらすのではなく、検査用眼鏡６００における一つの光学系において、焦点距離の主点（計測始点）の位置が前側にずれた状態で矯正度数を決定した場合には、その矯正度数のもとに仕上げられた眼鏡用レンズ（本事例では、右眼用レンズ１６−２）の主点（計測始点）の位置も前側（Ｙ１側）にずらした方が見やすくなるわけである。
【０１８９】
これが、検査用眼鏡６００を使用して矯正度数を決定する場合に、検査用レンズの重ね合わせ方を原因として頂点間距離のずれが発生する例示である。現在、Ａさんに使用された検査用レンズの重ね合わせ方も、また、Ｂさんに使用された検査用レンズの重ね合わせ方も、どちらも容認されている。
【０１９０】
次に、第２の原因、すなわち、厚い検査用レンズを重ね合わせて決定した矯正度数を、一枚の薄い眼鏡用レンズに造形し直すことにより発生する頂点間距離のずれについて、具体的に説明する（なお、両眼とも矯正度数の決定手順は同様であるので、右眼の視力矯正を例に簡略に説明する）。
【０１９１】
Ｃさんが、視力が低下したので眼鏡を作ることにした。まず、視力低下の原因が近視によるものか、遠視によるものかを判断するために、検査用眼鏡６００の右眼用の第１レンズホルダ６１２ｃにおいて、順次、検査用レンズを入れ替えたところ、−０．５０Ｄの検査用レンズを挿入したとき見やすかったので、近視であることがわかった。（近視は、網膜の手前で像が結像する眼の屈折異常である。近視の矯正には凹レンズが使用される。凹レンズにより光を拡散させて瞳に入射させることで、像を網膜まで押し戻して矯正する。凹レンズには−の符号を付す。屈折度の単位は、ジオプトリ（Ｄ）を使用する。なお、凹レンズの屈折度も焦点距離を基礎とするので、凸レンズとの間では単純な合算が成り立つ。）次に、第２レンズホルダ６１２ｂにおいて、凹レンズの検査用レンズの度数を強めていったところ、−１．００Ｄより度数を上げても十分な視力が得られず、放射線乱視表で確認したところ、ぼやけて見える線があるので、乱視を併発していることが分った。ここで、第１レンズホルダ６１２ｃに挿入された近視の矯正度数−０．５０Ｄと第２レンズホルダ６１２ｂに挿入された近視の矯正度数−１．００Ｄを合算し、−１．５０Ｄの検査用レンズに替えて、第１レンズホルダ６１２ｃに入れ直して、−１．５０Ｄの検査用レンズの裏面からＣさんの瞳（角膜）の頂点までの距離を１２ミリの間隔に保った。（なお、乱視は、眼球において互いに直交する２つの経線を想定し、各経線における屈折度が異なるため（例えば、眼球の各経線における曲がりに差があると考えると分かりやすい）、各経線を通過した像が網膜上で一致せず、網膜の前後にずれて結像する眼の屈折異常である。経線を通過する像を線として捉え、前側の像を前焦線と呼び、後側の像を後焦線と呼ぶ。この前焦線と後焦線の間隔が乱視である。乱視の矯正には円柱レンズが使用される。円柱レンズは一方の経線の方向に度が入り、直交する他方の経線の方向には度が入らないので、片側の経線により結像する像の位置をずらすことで、２つの経線による結像位置を一致させて乱視を矯正することができる。）
第１レンズホルダ６１２ｃに−１．５０Ｄの検査用レンズが入り、近視が矯正された状態では、乱視がまだ矯正されていないので、前焦線は網膜の前で結像し、後焦線は網膜の後で結像して、像が一致していないため十分な視力が得られない。そこで、＋０．５０Ｄの検査用レンズ（凸レンズ）を第２レンズホルダ６１２ｂに入れて、後焦線を網膜上に位置させる。当然、前焦線もさらに前側にずれる。この状態で、円柱レンズを使用して乱視を矯正する。すなわち、円柱レンズを使用して、網膜の手前で結像している前焦線だけを押し戻し、網膜上で結像している後焦線に一致させることで、乱視を矯正する。そこで、外側のホルダ（第３レンズホルダとする）６１２ａにおいて、放射線乱視表のぼやけて見える線の方向に円柱レンズの向き（軸）を合わせて、円柱レンズの度数を上げていったところ、軸の方向は９０°、円柱レンズの度数は−０．５０Ｄのとき、放射線乱視表の各線を均一に見ることができた。この状態で、前焦線と後焦線は網膜上で一致し、乱視を矯正することができた。よって、右眼の近視による矯正度数を、重複する＋０．５０Ｄ（凸レンズ）を差し引いて、−１．００Ｄとし、乱視による矯正度数を−０．５０Ｄ、軸の方向を９０°と決定してレンズを発注した。（なお、円柱レンズの屈折度の単位は、ジオプトリ（Ｄ）を使用する。軸の方向を有するので、凸レンズ、凹レンズとの間では合算できない。）
右眼用レンズ１６−２が仕上がったので、眼鏡本体１０の右側構成部１２−Ｂに装着された。
【０１９２】
このケースでは、検査用眼鏡枠６００において、第１レンズホルダ６１２ｃに挿入された−１．５０Ｄの検査用レンズの裏面からＣさんの瞳（角膜）の頂点までの距離を１２ミリの間隔に保ち、第２レンズホルダ６１２ｂに挿入された＋０．５０Ｄの検査用レンズ（凸レンズ）を経て、第３レンズホルダ６１２ａにおいて、−０．５０Ｄ、軸の方向９０°の円柱レンズが挿入された状態で矯正度数を決定している。これを、近視の矯正度数を−１．００Ｄ、乱視の矯正度数を−０．５０Ｄ、軸の方向９０°として発注して右眼用レンズ１６−２が仕上げられている。したがって、眼鏡５を顔に掛け、眼鏡本体１０に装着された右眼用レンズ１６−２の裏面からＣさんの瞳（角膜）の頂点までの距離を１２ミリの間隔でフィッティングさせると、第３レンズホルダ６１２ａの位置から円柱レンズを使用して矯正された前焦線の結像位置が乱れるはずである。通例、各レンズホルダの幅は５ミリあり、第３レンズホルダ６１２ａは、第１レンズホルダ６１２ｃから１０ミリ離れた位置にある。よって、前焦線の矯正に使用した円柱レンズの主点（計測始点）の位置が前側にずれているので、Ｃさんの場合には、眼鏡本体１０に装着された右眼用レンズ１６−２の主点（計測始点）の位置を１２ミリの間隔よりも前側（Ｙ１側）にずらした方が、前焦線と後焦線とが一致して見やすいはずである。つまり、眼鏡本体１０に装着されたＣさんの眼鏡用レンズ１６−２は、固有の頂点間距離をとるといえる。仮に、重複する＋０．５０Ｄの検査用レンズ（凸レンズ）と−１．５０Ｄの検査用レンズを一枚のレンズに入れ替えて、−１．００Ｄの検査用レンズを第１レンズホルダ６１２ｃに挿入して、−１．００Ｄの検査用レンズの裏面からＣさんの瞳（角膜）の頂点までの距離を１２ミリの間隔に保ち、第２レンズホルダ６１２ｂに−０．５０Ｄ、軸の方向９０°の円柱レンズを入れ替えて見やすさを確認した場合においても、前焦線の矯正に使用する円柱レンズの主点（計測始点）の位置は、前側に５ミリずれた状態（つまり、第２レンズホルダからの計測）となり、前焦線の結像位置が乱れる。
【０１９３】
これが、検査用眼鏡６００を使用して、厚い検査用レンズを重ね合わせて矯正度数を決定し、その度数のもとに一枚の薄い眼鏡用レンズ（本事例では、右眼用レンズ１６−２）に造形し直すことに起因して発生する頂点間距離のずれである。
【０１９４】
眼鏡本体１０に装着されたレンズ１６−１、１６−２が固有の頂点間距離をとる場合、どの位置にフィッティングさせればよいかは、装用者自らが眼鏡５を顔に装着して、レンズ１６−１、１６−２を通して見やすさを確認するより他に方法がない。レンズ１６−１、１６−２が装着された眼鏡本体１０を両手で支持して前後に移動させて見やすさを確認する方法では、１２ミリの間隔で最も収差が出ないように設計されたレンズの許容範囲をはるかに超える位置（例えば、２０ミリ程度の開き過ぎた間隔）からの確認となり、確認方法として不適切である。また、眼鏡５を両手で支持した状態では、フロント１２が上方に上向くので、上下方向においてレンズ１６−１、１６−２のアイポイント（光学中心）と装用者の瞳孔中心の位置がずれた状態での確認となり、正確性を欠いたものとなる。そこで、該鼻当て１００−１、１００−２（特に、パッド支軸１３０）が装着された眼鏡５を使用すれば、頂点間距離が１２ミリの間隔で適正化された第１使用状態と頂点間距離を長くした第２使用状態との間で、レンズ１６−１、１６−２を通して見やすさを比較することができ、見やすい間隔（すなわち、検査用眼鏡６００により得られた矯正効果を再現できる間隔）を確認して選択することで、眼鏡本体１０に装着されたレンズ１６−１、１６−２に固有の頂点間距離を適正化することができる。頂点間距離が適正化されると、カメラでピントが合うように、カレンダーやテレビ映像の数字や小文字、あるいは、走行中の交通標識や道路面の凹凸等をくっきりとした状態で見ることができる。
【符号の説明】
【０１９５】
５  眼鏡
１０  眼鏡本体
１１  蝶番構成部
１２  フレーム
１２−Ａ  左側構成部
１２−Ｂ  右側構成部
１２−Ｃ  ブリッジ部
１２−１、１２−２  屈曲部
１２ａ、１２ｂ、１４ａ  突出部
１４−１、１４−２  テンプル
１５  蝶番部
１６−１、１６−２  レンズ
１７  ネジ
１８  軸部
１９  頭部
２０−１、２０−２  後方視認装置
３０  収納部
３２  収納部本体
３４  側面部
３６  前面部
３８  後面図
４０  支持部
４２  中間板部
４４、４６  突出板部
５０  軸ピン
５２  軸部
５４  頭部
６０  ミラーユニット
６２  支持部
６４  支持部本体
６５  帯状部
６６  突状部
６８  操作つまみ
７０  静止用板部
７２  装飾板
７４  ミラー
８０  調整板部群
８２、８４  前後位置調整板部
８４Ｋ  切欠部
１００−１、１００−２  鼻当て
１１０  パッド足
１２０  パッド箱
１２０ａ  第１部材
１２０ｂ  第２部材
１２０ｃ  第３部材
１２０ｄ  第４部材
１２２  挿通穴
１２４  ネジ穴
１３０  パッド支軸
１３０Ｋ  切欠部
１３６ａ  第１規制面
１３６ｂ  第２規制面
１３６ｃ  第３規制面
１３８  磁石部
１４０  パッド
１４２  パッド本体
１４４  押え部
１４６  固定部
１５０  パッドネジ
１５２  軸部
１５４  頭部
【図１】
2015200757.tif 000003
【図２】
2015200757.tif 000004
【図３】
2015200757.tif 000005
【図４】
2015200757.tif 000006
【図５】
2015200757.tif 000007
【図６】
2015200757.tif 000008
【図７】
2015200757.tif 000009
【図８】
2015200757.tif 000010
【図９】
2015200757.tif 000011
【図１０】
2015200757.tif 000012
【図１１】
2015200757.tif 000013
【図１２】
2015200757.tif 000014
【図１３】
2015200757.tif 000015
【図１４】
2015200757.tif 000016
【図１５】
2015200757.tif 000017
【図１６】
2015200757.tif 000018
【図１７】
2015200757.tif 000019
【図１８】
2015200757.tif 000020
【図１９】
2015200757.tif 000021
【図２０】
2015200757.tif 000022
【図２１】
2015200757.tif 000023
【図２２】
2015200757.tif 000024
【図２３】
2015200757.tif 000025
【図２４】
2015200757.tif 000026
【図２５】
2015200757.tif 000027